(57)【要約】  使い勝手が向上したカメラを提供することである。  カメラにおける撮影用の照明光を発光する撮影用照明装置であって、前記照明光として複数の異なる色の光及び／又は複数の異なる発光量の光を発光可能な発光部と、前記発光部を制御し、前記カメラの撮影と無関係に時間の経過に応じて色及び／又は発光量を変化させながら前記照明光を連続的に発光させる発光制御部とを備える撮影用照明装置を提供する。
2009091038.tif 000002
【特許請求の範囲】
【請求項１】
カメラにおける撮影用の照明光を発光する撮影用照明装置であって、
前記照明光として複数の異なる色の光及び／又は複数の異なる発光量の光を発光可能な発光部と、
前記発光部を制御し、前記カメラの撮影と無関係に時間の経過に応じて色及び／又は発光量を変化させながら前記照明光を連続的に発光させる発光制御部と
を備える撮影用照明装置。
【請求項２】
請求項１に記載の撮影用照明装置において、
前記発光制御部は、前記照明光の色を第１の色から第２の色に変化させるモードとして、前記第１の色から前記第２の色に階調を変化させながら連続光を発光させる連続変化モードと、前記第１の色から前記第２の色に直接変化させる直接変化モードとを選択可能に備えること
を特徴とする撮影用照明装置。
【請求項３】
請求項２に記載の撮影用照明装置において、
前記第１の色は、前記第２の色の補色であること
を特徴とする撮影用照明装置。
【請求項４】
請求項１に記載の撮影用照明装置において、
前記色の変化スピードを任意に設定することができること
を特徴とする撮影用照明装置。
【請求項５】
請求項１に記載の撮影用照明装置において、
前記色の変化パターンを任意に設定することができること
を特徴とする撮影用照明装置。
【請求項６】
請求項５に記載の撮影用照明装置において、
前記発光制御部が、前記色の変化パターンを被写体光の測光結果に基づいて決定すること
を特徴とする撮影用照明装置。
【請求項７】
請求項１に記載の撮影用照明装置において、
前記発光制御部は、前記色の変化を停止させて前記発光部に任意の色の照明光を発光させることが可能なこと
を特徴とする撮影用照明装置。
【請求項８】
請求項１に記載の撮影用照明装置であって、
前記発光制御部は、前記発光量を変化させながら前記照明光を連続的に発光させる第１発光パターンと、前記色を変化させながら前記照明光を連続的に変化させる第２発光パターンとを、時系列に切り換えて前記発光部に発光せしめることを特徴とする撮影用照明装置。
【請求項９】
請求項８に記載の撮影用照明装置であって、
前記発光制御部は、前記第１発光パターンでの発光を実行せしめた後で、且つ前記発光量が決定された後に、前記第２発光パターンでの発光を実行せしめることを特徴とする撮影用照明装置。
【請求項１０】
請求項８に記載の撮影用照明装置であって、
前記第１発光パターンは、互いに発光量変化の態様が異なる複数の発光量変化発光パターンを含み、
前記第２発光パターンは、互いに色変化の態様が異なる複数の色変化発光パターンを含み、
前記発光制御部は、撮影シーンに応じた露出制御を行うために前記カメラ内に予め設けられている複数の撮影モードに基づいて、前記複数の発光量変化発光パターンおよび／又は前記複数の色変化発光パターンの中から、対応する発光パターンを選択することを特徴とする撮影用照明装置。
【請求項１１】
請求項１に記載の撮影用照明装置を使用可能なカメラであって、
前記照明光の色相と明度とがマトリクス状に配置された色分布を表示可能な表示部を有し、
前記表示部に表示されている前記色分布上において、前記照明光の色相および明度の連続的な変化パターンを設定入力可能な発光パターン入力設定部と、を有することを特徴とするカメラ。
【請求項１２】
請求項１から請求項１０までのいずれか１項に記載の撮影用照明装置を使用するカメラであって、
被写体光を電気信号に変換して出力する撮像部と、
前記撮像部の出力に基づいて生成されたスルー画像を表示する表示部と、
前記照明光の色の変化パターン及び前記照明光の色の変化状態の少なくとも一方を、前記スルー画像と併せて前記表示部に表示せしめる表示制御部と
を有することを特徴とするカメラ。
【請求項１３】
請求項１２に記載のカメラにおいて、
前記照明光の照射中は、前記スルー画像の一部の領域を前記表示部に拡大表示すること
を特徴とするカメラ。
【請求項１４】
請求項１３に記載のカメラにおいて、
前記表示部は、前記スルー画像の全体を表示するとともに、そのスルー画像の全体表示上に前記拡大表示を重畳表示すること
を特徴とするカメラ。
【請求項１５】
請求項１２に記載のカメラにおいて、
前記表示部は、前記スルー画像の全体を所定の表示領域に表示するとともに、前記スルー画像の一部を前記所定の表示領域よりも大きな表示領域内に拡大表示すること
を特徴とするカメラ。
【請求項１６】
請求項１２に記載のカメラにおいて、
前記撮像部が記録媒体に記録すべき画像を撮像している期間、前記撮影用照明装置は、前記照明光の色を一定に維持すること
を特徴とするカメラ。
【請求項１７】
請求項１２に記載のカメラにおいて、
前記照明光の照射中に撮影開始指示信号が入力されると、これに応じて静止画像の撮影動作を実行する撮影制御部を備えること
を特徴とするカメラ。
【請求項１８】
請求項１７に記載のカメラにおいて、
前記発光制御部は、前記撮影制御部が撮影動作を終了しても前記照明光の照射を継続して行い、
前記撮影制御部は、前記照明光の照射中に前記撮影開始指示信号が複数回入力されると、その複数回の入力のそれぞれに応じて撮影動作を実行すること
を特徴とするカメラ。
【請求項１９】
請求項１７又は１８に記載のカメラにおいて、
前記撮影制御部は、前記照明光の照射中に撮影予約信号が入力されると、これに応じて撮影予約を受け付けるとともに、前記照明光の色が変化して再び前記撮影予約信号が入力された時点の色と略同じとなったら撮影動作を実行すること
を特徴とするカメラ。
【請求項２０】
請求項１９に記載のカメラにおいて、
前記撮影制御部は、前記撮影予約に応じた撮影動作を行う際、該撮影動作を行うタイミングよりも早いタイミング及び遅いタイミングの少なくとも一方で、さらに撮影動作を行うこと
を特徴とするカメラ。
【請求項２１】
請求項２０に記載のカメラにおいて、
前記発光制御部は、前記撮影予約に応じた撮影動作を行う前又は後に、前記照明光の色を前記撮影予約信号が入力された時点の色に固定しつつ、照明光の光量を連続的に変化させる制御を行い、
前記撮影制御部は、前記撮影予約信号が入力された時点の光量と略同じ光量となるタイミングよりも早いタイミング及び遅いタイミングの少なくとも一方でさらに撮影動作を行うこと
を特徴とするカメラ。
【請求項２２】
請求項１２に記載のカメラにおいて、
カメラに撮影動作を実行せしめるために外部操作可能に設けられたレリーズ操作部材を有し、
前記発光制御部は、前記レリーズ操作部材の操作に応じて前記照明光の色を変化させる制御を開始すること
を特徴とするカメラ。
【請求項２３】
請求項１２に記載のカメラにおいて、
カメラに撮影動作を実行せしめるために外部操作可能に設けられたレリーズ操作部材と、
前記レリーズ操作部材とは独立して外部操作可能に設けられた発光指示操作部材と
を有し、
前記発光制御部は、前記発光指示操作部材の操作に応じて前記照明光の色を変化させる制御を開始すること
を特徴とするカメラ。
【請求項２４】
請求項１２に記載のカメラにおいて、
前記撮影用照明装置から照射される前記照明光は、オートフォーカス動作時にはオートフォーカス補助光として使用されること
を特徴とするカメラ。
【請求項２５】
請求項２４に記載のカメラにおいて、
前記オートフォーカス補助光の色は、受光センサーの分光感度特性に合わせた色で発光すること
を特徴とするカメラ。
【請求項２６】
請求項２４又は請求項２５に記載のカメラにおいて、
前記撮影用照明装置は、前記照明光が前記オートフォーカス補助光としての照射を終えた直後から、前記照明光の発光を開始すること
を特徴とするカメラ。
【請求項２７】
請求項１に記載の撮影用照明装置において、
前記発光制御部は、前記照明光の発光量を変化させるモードとして、前記照明光の発光量を時間の経過に応じて徐々に大きくする発光量増大モードと、前記照明光の発光量を時間の経過に応じて徐々に少なくする発光量減少モードとを備えること
を特徴とする撮影用照明装置。
【請求項２８】
請求項２７に記載の撮影用照明装置において、
前記発光制御部は、前記発光量の変化スピードを任意に設定できること
を特徴とする撮影用照明装置。
【請求項２９】
請求項２７に記載の撮影用照明装置において、
前記発光制御部は、前記発光量の変化範囲を任意に設定できること
を特徴とする撮影用照明装置。
【請求項３０】
請求項２７に記載の撮影用照明装置において、
前記発光制御部は、前記発光量の変化範囲を被写体光の測光結果に基づいて決定することができること
を特徴とする撮影用照明装置。
【請求項３１】
請求項２７の撮影用照明装置において、
前記撮影用照明装置から照射される前記照明光は、オートフォーカス動作時にはオートフォーカス補助光として使用されること
を特徴とする撮影用照明装置。
【請求項３２】
請求項３１に記載の撮影用照明装置において、
前記撮影用照明装置は、前記照明光が前記オートフォーカス補助光としての照射を終えた直後から、前記照明光の発光量を変化させる制御を開始すること
を特徴とする撮影用照明装置。
【請求項３３】
請求項２７記載の撮影用照明装置において、
前記撮影用照明装置は、撮像部が記録媒体に記録すべき画像を撮像している期間は、前記照明光の光量を一定に維持すること
を特徴とする撮影用照明装置。
【請求項３４】
請求項２７に記載の撮影用照明装置を使用するカメラであって、
被写体光を電気信号に変換して出力する撮像部と、
前記撮像部の出力に基づいて生成されたスルー画像を表示する表示部と、
前記表示部に前記スルー画像を表示させた状態で、撮影用の照明光を照射する照明装置によって被写体に連続光を照射させながら、該照明光の発光量を変化させる制御を行う発光制御部と
を備えるカメラ。
【請求項３５】
請求項３４に記載のカメラにおいて、
前記表示部は、前記照明光の発光量の変化状態を示すインジケータを表示可能に設けられること
を特徴とするカメラ。
【請求項３６】
請求項３４又は請求項３５に記載のカメラにおいて、
前記照明光の照射中は、前記スルー画像の一部の領域を前記表示部に拡大表示すること
を特徴とするカメラ。
【請求項３７】
請求項３６に記載のカメラにおいて、
前記表示部は、前記スルー画像の全体を表示するとともに、そのスルー画像の全体表示上に前記拡大表示を重畳表示すること
を特徴とするカメラ。
【請求項３８】
請求項３６に記載のカメラにおいて、
前記表示部は、前記スルー画像の全体を所定の表示領域に表示するとともに、前記スルー画像の一部を前記所定の表示領域よりも大きな表示領域内に拡大表示すること
を特徴とするカメラ。
【請求項３９】
請求項３４に記載のカメラにおいて、
前記照明光の照射中に撮影開始指示信号が入力されると、これに応じて撮影動作を開始する撮影制御部を備えること
を特徴とするカメラ。
【請求項４０】
請求項３９に記載のカメラにおいて、
前記発光制御部は、前記撮影制御部が撮影動作を開始しても前記照明光の照射を継続して行い、
前記撮影制御部は、前記照明光の照射中に前記撮影開始指示信号が複数回入力されると、その複数回の入力のそれぞれに応じて撮影動作を開始すること
を特徴とするカメラ。
【請求項４１】
請求項３９又は請求項４０に記載のカメラにおいて、
前記撮影制御部は、前記照明光の照射中に撮影予約信号が入力されると、これに応じて撮影予約を受け付けるとともに、前記照明光の発光量が変化してその発光量が再び前記撮影予約信号が入力された時点の発光量と略同じとなったら撮影動作を開始すること
を特徴とするカメラ。
【請求項４２】
請求項４１に記載のカメラにおいて、
前記撮影制御部は、前記撮影予約に応じた撮影動作を行う際、該撮影動作を行うタイミングよりも早いタイミング及び遅いタイミングの少なくとも一方で、さらに撮影動作を行うこと
を特徴とするカメラ。
【請求項４３】
請求項３４に記載のカメラにおいて、
カメラに撮影動作を実行せしめるために外部操作可能に設けられたレリーズ操作部材を有し、
前記発光制御部は、前記レリーズ操作部材の操作に応じて前記制御を開始すること
を特徴とするカメラ。
【請求項４４】
請求項３４に記載のカメラにおいて、
カメラに撮影動作を実行せしめるために外部操作可能に設けられたレリーズ操作部材と、
前記レリーズ操作部材とは独立して外部操作可能に設けられた発光指示操作部材と、を有し、
前記発光制御部は、前記発光指示操作部材の操作に応じて前記制御を開始すること
を特徴とするカメラ。
【発明の詳細な説明】
【技術分野】
【０００１】
本発明は、撮影用照明装置及びカメラに関するものである。
【背景技術】
【０００２】
カメラを用いて撮影を行う際に照明光を照射する照明装置としては、予備撮影によって得られた画像に基づいて撮影者が照明光の色温度を決定し、本撮影時にその色温度で閃光発光を行うものが知られている（例えば、特許文献１参照）。
また、撮影を行うたびにストロボの発光量が変わるカメラも知られている（例えば、特許文献２参照）。
【特許文献１】特開平８−２０１８８５号公報
【特許文献２】特開２００６−１４８２７２号公報
【発明の開示】
【発明が解決しようとする課題】
【０００３】
特許文献１に記載の照明装置は、予備撮影を行って本撮影時の閃光の色温度を決定するので撮影に時間がかかり、例えば、被写体が動いてしまう等、シャッタチャンスを逃がしてしまう可能性がある。
また、特許文献２に記載のカメラは、撮影者が所望の発光量で撮影を行うことが困難であるという問題がある。
本発明の課題は、使い勝手が向上した撮影用照明装置及びカメラを提供することである。
【課題を解決するための手段】
【０００４】
本発明は、以下のような解決手段により、前記課題を解決する。
請求項１に記載の発明は、カメラにおける撮影用の照明光を発光する撮影用照明装置であって、前記照明光として複数の異なる色の光及び／又は複数の異なる発光量の光を発光可能な発光部と前記発光部を制御し、前記カメラの撮影と無関係に時間の経過に応じて色及び／又は発光量を変化させながら前記照明光を連続的に発光させる発光制御部とを備える撮影用照明装置である。
請求項２に記載の発明は、請求項１に記載の撮影用照明装置において前記発光制御部は、前記照明光の色を第１の色から第２の色に変化させるモードとして、前記第１の色から前記第２の色に階調を変化させながら連続光を発光させる連続変化モードと、前記第１の色から前記第２の色に直接変化させる直接変化モードとを選択可能に備えることを特徴とする撮影用照明装置である。
請求項３に記載の発明は、請求項２に記載の撮影用照明装置において前記第１の色は、前記第２の色の補色であることを特徴とする撮影用照明装置である。
請求項４に記載の発明は、請求項１に記載の撮影用照明装置において前記色の変化スピードを任意に設定することができることを特徴とする撮影用照明装置である。
請求項５に記載の発明は、請求項１に記載の撮影用照明装置において前記色の変化パターンを任意に設定することができることを特徴とする撮影用照明装置である。
請求項６に記載の発明は、請求項５に記載の撮影用照明装置において前記発光制御部が、前記色の変化パターンを被写体光の測光結果に基づいて決定することを特徴とする撮影用照明装置である。
請求項７に記載の発明は、請求項１に記載の撮影用照明装置において前記発光制御部は、前記色の変化を停止させて前記発光部に任意の色の照明光を発光させることが可能なことを特徴とする撮影用照明装置である。
請求項８に記載の発明は、請求項１に記載の撮影用照明装置であって前記発光制御部は、前記発光量を変化させながら前記照明光を連続的に発光させる第１発光パターンと、前記色を変化させながら前記照明光を連続的に変化させる第２発光パターンとを、時系列に切り換えて前記発光部に発光せしめることを特徴とする撮影用照明装置である。
請求項９に記載の発明は、請求項８に記載の撮影用照明装置であって前記発光制御部は、前記第１発光パターンでの発光を実行せしめた後で、且つ前記発光量が決定された後に、前記第２発光パターンでの発光を実行せしめることを特徴とする撮影用照明装置である。
請求項１０に記載の発明は、請求項８に記載の撮影用照明装置であって前記第１発光パターンは、互いに発光量変化の態様が異なる複数の発光量変化発光パターンを含み前記第２発光パターンは、互いに色変化の態様が異なる複数の色変化発光パターンを含み前記発光制御部は、撮影シーンに応じた露出制御を行うために前記カメラ内に予め設けられている複数の撮影モードに基づいて、前記複数の発光量変化発光パターンおよび／又は前記複数の色変化発光パターンの中から、対応する発光パターンを選択することを特徴とする撮影用照明装置である。
請求項１１に記載の発明は、請求項１に記載の撮影用照明装置を使用可能なカメラであって前記照明光の色相と明度とがマトリクス状に配置された色分布を表示可能な表示部を有し前記表示部に表示されている前記色分布上において、前記照明光の色相および明度の連続的な変化パターンを設定入力可能な発光パターン入力設定部と、を有することを特徴とするカメラである。
請求項１２に記載の発明は、請求項１から請求項１０までのいずれか１項に記載の撮影用照明装置を使用するカメラであって被写体光を電気信号に変換して出力する撮像部と前記撮像部の出力に基づいて生成されたスルー画像を表示する表示部と前記照明光の色の変化パターン及び前記照明光の色の変化状態の少なくとも一方を、前記スルー画像と併せて前記表示部に表示せしめる表示制御部とを有することを特徴とするカメラである。
請求項１３に記載の発明は、請求項１２に記載のカメラにおいて前記照明光の照射中は、前記スルー画像の一部の領域を前記表示部に拡大表示することを特徴とするカメラである。
請求項１４に記載の発明は、請求項１３に記載のカメラにおいて前記表示部は、前記スルー画像の全体を表示するとともに、そのスルー画像の全体表示上に前記拡大表示を重畳表示することを特徴とするカメラである。
請求項１５に記載の発明は、請求項１２に記載のカメラにおいて前記表示部は、前記スルー画像の全体を所定の表示領域に表示するとともに、前記スルー画像の一部を前記所定の表示領域よりも大きな表示領域内に拡大表示することを特徴とするカメラである。
請求項１６に記載の発明は、請求項１２に記載のカメラにおいて前記撮像部が記録媒体に記録すべき画像を撮像している期間、前記撮影用照明装置は、前記照明光の色を一定に維持することを特徴とするカメラである。
請求項１７に記載の発明は、請求項１２に記載のカメラにおいて前記照明光の照射中に撮影開始指示信号が入力されると、これに応じて静止画像の撮影動作を実行する撮影制御部を備えることを特徴とするカメラである。
請求項１８に記載の発明は、請求項１７に記載のカメラにおいて前記発光制御部は、前記撮影制御部が撮影動作を終了しても前記照明光の照射を継続して行い前記撮影制御部は、前記照明光の照射中に前記撮影開始指示信号が複数回入力されると、その複数回の入力のそれぞれに応じて撮影動作を実行することを特徴とするカメラである。
請求項１９に記載の発明は、請求項１７又は１８に記載のカメラにおいて前記撮影制御部は、前記照明光の照射中に撮影予約信号が入力されると、これに応じて撮影予約を受け付けるとともに、前記照明光の色が変化して再び前記撮影予約信号が入力された時点の色と略同じとなったら撮影動作を実行することを特徴とするカメラである。
請求項２０に記載の発明は、請求項１９に記載のカメラにおいて前記撮影制御部は、前記撮影予約に応じた撮影動作を行う際、該撮影動作を行うタイミングよりも早いタイミング及び遅いタイミングの少なくとも一方で、さらに撮影動作を行うことを特徴とするカメラである。
請求項２１に記載の発明は、請求項２０に記載のカメラにおいて前記発光制御部は、前記撮影予約に応じた撮影動作を行う前又は後に、前記照明光の色を前記撮影予約信号が入力された時点の色に固定しつつ、照明光の光量を連続的に変化させる制御を行い前記撮影制御部は、前記撮影予約信号が入力された時点の光量と略同じ光量となるタイミングよりも早いタイミング及び遅いタイミングの少なくとも一方でさらに撮影動作を行うことを特徴とするカメラである。
請求項２２に記載の発明は、請求項１２に記載のカメラにおいてカメラに撮影動作を実行せしめるために外部操作可能に設けられたレリーズ操作部材を有し前記発光制御部は、前記レリーズ操作部材の操作に応じて前記照明光の色を変化させる制御を開始することを特徴とするカメラである。
請求項２３に記載の発明は、請求項１２に記載のカメラにおいてカメラに撮影動作を実行せしめるために外部操作可能に設けられたレリーズ操作部材と前記レリーズ操作部材とは独立して外部操作可能に設けられた発光指示操作部材とを有し前記発光制御部は、前記発光指示操作部材の操作に応じて前記照明光の色を変化させる制御を開始することを特徴とするカメラである。
請求項２４に記載の発明は、請求項１２に記載のカメラにおいて前記撮影用照明装置から照射される前記照明光は、オートフォーカス動作時にはオートフォーカス補助光として使用されることを特徴とするカメラである。
請求項２５に記載の発明は、請求項２４に記載のカメラにおいて前記オートフォーカス補助光の色は、受光センサーの分光感度特性に合わせた色で発光することを特徴とするカメラである。
請求項２６に記載の発明は、請求項２４又は請求項２５に記載のカメラにおいて前記撮影用照明装置は、前記照明光が前記オートフォーカス補助光としての照射を終えた直後から、前記照明光の発光を開始することを特徴とするカメラである。
請求項２７に記載の発明は、請求項１に記載の撮影用照明装置において前記発光制御部は、前記照明光の発光量を変化させるモードとして、前記照明光の発光量を時間の経過に応じて徐々に大きくする発光量増大モードと、前記照明光の発光量を時間の経過に応じて徐々に少なくする発光量減少モードとを備えることを特徴とする撮影用照明装置である。
請求項２８に記載の発明は、請求項２７に記載の撮影用照明装置において前記発光制御部は、前記発光量の変化スピードを任意に設定できることを特徴とする撮影用照明装置である。
請求項２９に記載の発明は、請求項２７に記載の撮影用照明装置において前記発光制御部は、前記発光量の変化範囲を任意に設定できることを特徴とする撮影用照明装置である。
請求項３０に記載の発明は、請求項２７に記載の撮影用照明装置において前記発光制御部は、前記発光量の変化範囲を被写体光の測光結果に基づいて決定することができることを特徴とする撮影用照明装置である。
請求項３１に記載の発明は、請求項２７の撮影用照明装置において前記撮影用照明装置から照射される前記照明光は、オートフォーカス動作時にはオートフォーカス補助光として使用されることを特徴とする撮影用照明装置である。
請求項３２に記載の発明は、請求項３１に記載の撮影用照明装置において前記撮影用照明装置は、前記照明光が前記オートフォーカス補助光としての照射を終えた直後から、前記照明光の発光量を変化させる制御を開始することを特徴とする撮影用照明装置である。
請求項３３に記載の発明は、請求項２７記載の撮影用照明装置において前記撮影用照明装置は、撮像部が記録媒体に記録すべき画像を撮像している期間は、前記照明光の光量を一定に維持することを特徴とする撮影用照明装置である。
請求項３４に記載の発明は、請求項２７に記載の撮影用照明装置を使用するカメラであって被写体光を電気信号に変換して出力する撮像部と前記撮像部の出力に基づいて生成されたスルー画像を表示する表示部と前記表示部に前記スルー画像を表示させた状態で、撮影用の照明光を照射する照明装置によって被写体に連続光を照射させながら、該照明光の発光量を変化させる制御を行う発光制御部とを備えるカメラである。
請求項３５に記載の発明は、請求項３４に記載のカメラにおいて前記表示部は、前記照明光の発光量の変化状態を示すインジケータを表示可能に設けられることを特徴とするカメラである。
請求項３６に記載の発明は、請求項３４又は請求項３５に記載のカメラにおいて前記照明光の照射中は、前記スルー画像の一部の領域を前記表示部に拡大表示することを特徴とするカメラである。
請求項３７に記載の発明は、請求項３６に記載のカメラにおいて前記表示部は、前記スルー画像の全体を表示するとともに、そのスルー画像の全体表示上に前記拡大表示を重畳表示することを特徴とするカメラである。
請求項３８に記載の発明は、請求項３６に記載のカメラにおいて前記表示部は、前記スルー画像の全体を所定の表示領域に表示するとともに、前記スルー画像の一部を前記所定の表示領域よりも大きな表示領域内に拡大表示することを特徴とするカメラである。
請求項３９に記載の発明は、請求項３４に記載のカメラにおいて前記照明光の照射中に撮影開始指示信号が入力されると、これに応じて撮影動作を開始する撮影制御部を備えることを特徴とするカメラである。
請求項４０に記載の発明は、請求項３９に記載のカメラにおいて前記発光制御部は、前記撮影制御部が撮影動作を開始しても前記照明光の照射を継続して行い前記撮影制御部は、前記照明光の照射中に前記撮影開始指示信号が複数回入力されると、その複数回の入力のそれぞれに応じて撮影動作を開始することを特徴とするカメラである。
請求項４１に記載の発明は、請求項３９又は請求項４０に記載のカメラにおいて前記撮影制御部は、前記照明光の照射中に撮影予約信号が入力されると、これに応じて撮影予約を受け付けるとともに、前記照明光の発光量が変化してその発光量が再び前記撮影予約信号が入力された時点の発光量と略同じとなったら撮影動作を開始することを特徴とするカメラである。
請求項４２に記載の発明は、請求項４１に記載のカメラにおいて前記撮影制御部は、前記撮影予約に応じた撮影動作を行う際、該撮影動作を行うタイミングよりも早いタイミング及び遅いタイミングの少なくとも一方で、さらに撮影動作を行うことを特徴とするカメラである。
請求項４３に記載の発明は、請求項３４に記載のカメラにおいてカメラに撮影動作を行せしめるために外部操作可能に設けられたレリーズ操作部材を有し前記発光制御部は、前記レリーズ操作部材の操作に応じて前記制御を開始することを特徴とするカメラである。
請求項４４に記載の発明は、請求項３４に記載のカメラにおいてカメラに撮影動作を実行せしめるために外部操作可能に設けられたレリーズ操作部材と前記レリーズ操作部材とは独立して外部操作可能に設けられた発光指示操作部材と、を有し前記発光制御部は、前記発光指示操作部材の操作に応じて前記制御を開始することを特徴とするカメラである。
【発明の効果】
【０００５】
本発明によれば、使い勝手が向上したカメラを提供することができる。
【図面の簡単な説明】
【０００６】
【図１】第１実施形態のカメラの外観図である。
【図２】図１に示すカメラの構成を示すブロック図である。
【図３】図１に示すＬＣＤモニタに表示されたスルー画像の一例を示す図である。
【図４】図１に示すＬＥＤ発光部の発光パターンの一例を示すグラフである。
【図５】図１に示すＬＥＤ発光部の発光パターンの他の例を示すグラフである。
【図６】図１に示すＬＣＤモニタに表示された発光パターン決定用のメニュー画面の一例を示す図である。
【図７】図２に示すＡＳＩＣが撮影時に行う制御を示すフローチャートである。
【図８】図１に示すＬＣＤモニタに表示されるスルー画像の拡大表示の一例を示す図である。
【図９】第２実施形態のカメラに備えられたＡＳＩＣが撮影時に行う制御を示すフローチャートである。
【図１０】第２実施形態のカメラに備えられたＬＣＤモニタに表示される表示画面の一例を示す図である。
【図１１】第３実施形態のカメラの外観図である。
【図１２】図１１に示すカメラに備えられたＬＥＤ発光部の発光パターンを示すグラフである。
【図１３】図１１に示すカメラに備えられたＡＳＩＣが撮影時に行う制御を示すフローチャートである。
【図１４】図１１に示すカメラに備えられたＬＣＤモニタに表示されるスルー画像の一例を示す図である。
【図１５】図１４に示すスルー画像に合わせてインジケータを表示した状態の表示画面の一例を示す図である。
【図１６】第４実施形態のカメラに備えられたＡＳＩＣが撮影時に行う制御を示すフローチャートである。
【図１７】第４実施形態におけるＬＣＤモニタに表示されるスルー画像とともに表示されるインジケータの表示画面の一例を示す図である。
【図１８】本発明の変形形態を説明する図である。
【図１９】本発明の変形形態を説明する図である。
【図２０】本発明の変形形態を説明する図である。
【符号の説明】
【０００７】
１，１０１，２０１，３０１：カメラ、６０：ＬＣＤモニタ、７０：ＬＥＤ発光部、９０，１９０，２９０，３９０：ＡＳＩＣ、９１，１９１，２９１，３９１：撮影制御部、９２，１９２，２９２，３９２：発光制御部、９３，１９３，２９３，３９３：表示制御部
【発明を実施するための最良の形態】
【０００８】
［第１実施形態］
以下、本発明を適用した撮影用照明装置を含むカメラの第１実施形態について説明する。
図１は、第１実施形態のカメラの外観図であり、（ａ）は、カメラを正面から、（ｂ）は、カメラを背面からそれぞれ見た場合の平面図である。
図１に示すように、カメラ１は、略直方体状の箱形に形成された筐体を備えており、正面部１ａ及び背面部１ｂは、平面視でそれぞれ長方形状に形成されている。
図２は、図１に示すカメラの構成を示すブロック図である。
カメラ１は、図２に示すように、撮像部１０、レンズ鏡筒２０、操作部３０、カード４０、メモリ５０、ＬＣＤ（liquid  crystal  display）モニタ６０、ＬＥＤ（Light  Emitting  Diode）発光部７０、電源８０、ＡＳＩＣ（Application  Specific  Integrated  Circuit）９０等を備えている。【０００９】
撮像部１０は、撮像素子１１及びＡ／Ｄコンバータ１２を備えている。
撮像素子１１は、後述する撮影レンズ２１を通過した被写体光を電気信号に変換して出力する光−電気変換素子を含んでいる。撮像素子１１には、例えば、ＣＣＤ（Charge  Coupled  Device）、ＣＭＯＳ（Complementary  Metal  Oxide  Semiconductor）等のイメージセンサを使用することができる。撮像素子１１から出力された電気信号は、不図示の信号処理回路においてアナログ処理（ゲインコントロール等）が行われた後にＡ／Ｄコンバータ１２に入力される。
Ａ／Ｄコンバータ１２は、信号処理回路においてアナログ処理された電気信号をデジタル変換して後述するＡＳＩＣ９０に出力する部分である。【００１０】
レンズ鏡筒２０は、ズームレンズ等を含む撮影レンズ２１、シャッタ２２、駆動部２３等を含んでいる。カメラ１は、このレンズ鏡筒２０に備えられた撮影レンズ２１によって被写体光を撮像部１０に備えられた撮像素子１１に導くようになっている。
シャッタ２２は、撮像素子１１に対する露光時間を調節するものであり、撮影時に開閉動作を行うようになっている。
駆動部２３は、例えば、撮影レンズ２１を光軸方向に駆動するアクチュエータや、シャッタ２２を駆動するアクチュエータ等を含んでいる。【００１１】
操作部３０は、撮影者が後述するＡＳＩＣ９０に対して入力を行う際に操作するものであり、図１に示すように、筐体の上面部１ｃに設けられた電源スイッチ３１及びレリーズ釦３２、筐体の背面部１ｂに設けられたセレクタスイッチ３３、決定釦３４、ズーム釦３５、発光開始釦３６等を含んでいる。
電源スイッチ３１は、筐体の上面部１ｃから突き出して設けられた押し釦スイッチであり、撮影者は、この電源スイッチ３１を押圧することによってカメラ１の電源のオン操作、オフ操作を行うことができる。【００１２】
レリーズ釦３２は、半押し操作、及び、全押し操作の２段階の操作が可能な押し釦スイッチであり、電源スイッチ３１に隣接して配置されている。撮影者は、レリーズ釦３２の半押し操作を行うことによって、ＡＳＩＣ９０に対してＡＦ（Auto  Focus）動作の実行指示信号を発信することができる。ＡＳＩＣ９０は、これに応じて、撮像部１０の出力に基づいて例えば、主要な被写体に対して自動的にピント合わせを行うコントラスト検出式のＡＦ制御や自動的に露出を合わせるＡＥ制御を行う。また、撮影者は、レリーズ釦３２を全押し操作することによって、ＡＳＩＣ９０に対して撮影開始指示信号を発信することができる。【００１３】
セレクタスイッチ３３（ロータリマルチセレクタ）は、例えば、後述するＬＣＤモニタ６０にメニュー画面の表示や撮影済み画像のサムネイル表示を行った状態で項目や画像の選択を行う際等に使用される。
決定釦３４は、例えば、メニュー画面において、セレクタスイッチ３３で選択した項目に応じた動作をカメラ１に実行させる際等に使用される。
ズーム釦３５は、撮影時に画角の変更を行う場合や、ＬＣＤモニタ６０に撮影済み画像を再生表示した状態で、画像の拡大、縮小表示させる際等に使用される。【００１４】
発光開始釦３６は、後述するＬＥＤ発光部７０に撮影用の照明光の発光を開始させる際に操作する押し釦スイッチである。本実施形態のカメラ１は、撮影時においてレリーズ釦３２の操作に応じてＡＦ動作等を行った後に照明光の照射を開始するようになっているが、この発光開始釦３６を押圧操作することによって、ＬＥＤ発光部７０に照明光を発光させることもできる。【００１５】
カード４０は、撮影済みの画像等のデータを記録する、例えば、フラッシュメモリ等の不揮発性記憶媒体である。カード４０は、カメラ１に着脱可能に装着され、カメラ１には、このカード４０にデータの書き込みを行うためのドライブ装置（記録装置）が設けられている。【００１６】
メモリ５０は、ＡＳＩＣ９０による作業エリアとして機能するものであり、また、後述する発光量制御情報を含む各種データを格納している。
また、カメラ１において、撮影時に撮像部１０から出力された画像データは、一時的にこのメモリ５０に保存され、この後に前述のカード４０に書き込まれる。本明細書において、撮影といった場合には、画像データをカード４０に書き込むこととだけでなく、画像データをメモリ５０に一時保存することも含むものとする。【００１７】
ＬＣＤモニタ６０は、筐体の背面部１ｂに表示画面が設けられた表示装置であり、撮影済み画像やメニュー画面等を表示することができる。
ここで、カメラ１は、フレーミング時において、撮像部１０の出力に基づいて、略リアルタイムでＬＣＤモニタ６０に被写体像（以下、スルー画像と称して説明する）を表示させる機能を有している。撮影者は、このスルー画像を確認しながら撮影構図の決定を行うことができるようになっている。【００１８】
ＬＥＤ発光部７０は、カメラ１の筐体の正面部１ａに設けられた発光窓７１（図１参照）を介して被写体Ｐ（図３参照）等に対して撮影用の照明光を照射する部分であり、発光素子としてＬＥＤを備えている。
ＬＥＤ発光部７０は、赤色ＬＥＤ、緑色ＬＥＤ、及び、青色ＬＥＤの３種類の単色ＬＥＤを含んでおり、これらの発光量を適宜制御することによって、白色光や、赤色、緑色、青色に着色された光を選択的に発光可能となっている。また、ＬＥＤ発光部７０は、単色ＬＥＤの発光量の比率を適宜変化させることによって、黄色、シアン、マゼンダ等に着色された光も発光することができる。【００１９】
本実施形態のカメラのＬＥＤ発光部７０は、例えば、複数のトランジスタ等を含む発光量制御回路を備えている（発光制御回路は、図示を省略する）。後述するＡＳＩＣ９０に備えられた発光制御部９２は、発光制御回路に備えられた複数のトランジスタのオン、オフ制御を行うことによって各色のＬＥＤに流れる電流量を制御し、各色のＬＥＤの発光量の割合を変更することによってＬＥＤ発光部７０から照射される照明光の色を任意に変更する。なお、ＬＥＤ発光部７０に備えられたＬＥＤの数は、三原色（赤、緑、青）の光が発光可能であり、かつ、それらの発光量を任意の変更可能あれば特に限定されず、例えば、各色１個ずつのＬＥＤを設けてもよいし、ワンチップ（１個）で３原色の発光が可能なものを用いてもよい。
また、カメラ１は、撮像素子１１の出力に基づいて撮影レンズ２１の合焦状態を調節するコントラスト検出式のＡＦ制御を行うが、例えば、暗所で撮影を行う場合等、コントラストの検出が困難な場合には、ＬＥＤ発光部７０がＡＦ補助光を発光するようになっている。なお、ＬＥＤ発光部７０をＡＦ補助光として使用する際のＬＥＤ発光部７０から発光される補助光の色は、ＡＦ受光部の分光感度特性に合わせた色に制御される。【００２０】
電源８０は、後述するＡＳＩＣ９０等のカメラ１に備えられた各電気要素に対して電力を供給するものであり、カメラ１に着脱可能に装着される。カメラ１には、この電源８０を収容するための電池室（図示省略）が設けられている。【００２１】
ＡＳＩＣ９０は、上述したカメラ１を構成する各要素を統括的に制御する集積回路であり、撮影動作を制御する撮影制御部９１、ＬＥＤ発光部７０による発光動作を制御する発光制御部９２、及び、ＬＣＤモニタ６０に表示される表示画像を制御する表示制御部９３を備えている。
また、前述の撮像素子１１は、測光センサの機能を有しており、ＡＳＩＣ９０は、撮像素子１１の出力に基づいて撮影時におけるシャッタスピード、撮像感度、ＬＥＤ発光部７０の発光量等を決定するＡＥ（Automatic  Exposure）制御を行う。【００２２】
次に、本実施形態のカメラを用いて照明光の色（色温度）を変化させながら撮影を行う際の撮影環境について一例をあげて説明する。
図３は、図１に示すＬＣＤモニタに表示されたスルー画像の一例を示す図である。この図３において、（ａ）、（ｂ）は、略同じ撮影環境で照明光の色を異ならせた場合を示している。【００２３】
図３に示す撮影環境において、主要な被写体は、人物Ｐであり、この人物Ｐを照明するろうそくＣが用意されている。一般にろうそくＣの炎は、色温度が約１８００〜２０００Ｋ程度であり、その色は、橙色等の暖色系である。したがって、例えば、キセノン管や白色ＬＥＤを使用して人物Ｐを照射すると、人物ＰがろうそくＣの炎によって照明されていることが表現された画像（写真）を撮影することが困難となる。【００２４】
このような場合には、ろうそくの炎と同程度の色の照明光を照射できれば、撮影環境の雰囲気が表現された画像を撮影することができる。照明光を着色する手法としては、例えば、照明装置にフィルタを装着する方法等が考えられるが、装着に時間がかかるうえに適切な色のフィルタが必ず用意されているとは限らない。
これに対し、本実施形態のカメラ１は、撮影時にＬＥＤ発光部７０から照射される照明光の色を時間の経過に応じて徐々に変化させる制御を行う。以下、このようにＬＥＤ発光部７０の発光色を変化させて撮影を行う際の撮影モードを発光色可変モードと称して説明する。【００２５】
発光色可変モードで撮影を行う場合、撮影者は、ＬＣＤモニタ６０に表示されるスルー画像によって被写体像を確認しながら、ＬＥＤ発光部７０からの照明光の色が時間の経過に応じて刻々と変化する様子を観察することができる。そして、撮影者は、照明光の色が適当であると思われる時点でカメラ１に撮影動作を実行させることによって、所望の色の照明光によって照明された被写体を撮影することが可能となる。なお、上述した撮影現場の雰囲気を反映した画像を撮影する場合以外にも、例えば、自然光や白色ＬＥＤによる照明では表現が不可能な、おもしろみのある、あるいは、芸術的効果のある画像を撮影するために照明光を着色してもよい。【００２６】
また、ＬＥＤ発光部７０は、照明光の色を変化させる際に複数の発光パターンが選択的に用意されている。
図４は、図１に示すカメラに備えられたＬＥＤ発光部の発光パターンの一例を示すグラフであり、横軸は時間を、縦軸はＬＥＤ発光部の発光色をそれぞれ示している。
図４（ａ）のグラフＡは、発光色をシアンからその補色である赤へと、基準色である白色（ノーマル）を経て変化させるモード、グラフＢは、発光色を赤から白色（ノーマル）を経てシアンに変化させるモードにおける発光色の変化をそれぞれ示している。【００２７】
グラフＡのように、発光色をシアンから赤に変化させる場合、発光制御部９２は、まず青と緑のＬＥＤを１対１の割合（Ｒ、Ｇ、Ｂ＝０、２５５、２５５）で発光させ、これらの混合色であるシアンの光を生成する。発光制御部９２は、この後、赤の光の成分を追加し、その割合を徐々に大きくすることによって色の階調を連続的に変化させ、発光色を徐々に白色（ノーマル）に近づける。赤、緑、青のＬＥＤの発光量が均等（Ｒ、Ｇ、Ｂ＝２５５、２５５、２５５）となった状態で、ＬＥＤ発光部７０は、白色光を発光する。この後、発光制御部９２は、緑及び青の光の成分を徐々に減らすことによって色の階調を連続的に変化させ、発光色を徐々に赤に近づける。ＬＥＤ発光部７０が赤色の照明光を発光する際は、赤のＬＥＤのみを使用（Ｒ、Ｇ、Ｂ＝２５５、０、０）する。なお、発光制御部９２は、発光色を変化させる際に使用するＬＥＤの数が変化してもＬＥＤ発光部７０から照射される照明光の発光量（発光強度）が略一定となるように各ＬＥＤの発光量を制御する。
また、本実施形態のＬＥＤ発光部７０は、発光制御回路の構造上、図３に示すように発光量が所定時間ごとに段階的に変化するようになっているが、照明光の色がスムースに変化して見えるように発光量制御回路及び発光制御プログラムをチューニングするとよい。【００２８】
また、ＬＥＤ発光部７０は、照明光の色を変化させる際のスピード及び範囲を任意に調節できるようになっている。
図４（ｂ）のグラフは、発光色の変化範囲及び発光色の変化スピードが異なる発光パターンの一例を示している。
グラフＡ１及びグラフＡ２の発光パターンは、白色（ノーマル）で照明光の照射をスタートし、時間の経過に応じて赤に変化させる点は同じであるが、グラフＡ２の方が照明光の色が赤になるまでの時間が早い。また、グラフＡ３の発光パターンは、グラフＡ１の発光パターンと同様に白色からスタートするが、最終的な照明光の色は、白色と赤との中間の色（濃いピンク）である。グラフＡ４の発光パターンは、他の発光パターンと異なり、発光開始時の照明光の色は、白色ではなく、例えば、白色と赤との中間の色（濃いピンク）で発光を開始する。
なお、上記の例の発光パターンでは、シアン又は白色からスタートして赤に変化する場合を説明したが、本実施形態のカメラ１には、この他にも、例えば、赤からシアン、黄から青、青から黄、マゼンダから緑、緑からマゼンダ等、補色の関係にある２色間の間で色を変化させる発光パターンが用意されている。なお、撮影者は、これらの他に相関のない２色間（例えば、赤と青）で発光色を変化させるような発光パターンも選択することができる。【００２９】
また、本実施形態のＬＥＤ発光部７０は、発光色可変モードで撮影を行う場合、上述した照明光の色の階調を連続的に変化させる発光モード（連続変化モード）の他に、照明光の色を非連続的に変化させる発光モードも備えている。この場合、照明光の色を、例えば、ある色から他の色に直接変化させる制御（直接変化モード）を行う。なお、色の変化を電流の制御によって行うので、色を切り替える際のタイムラグは、実質的に無視でき、照明光を連続的に照射することができる。
図５は、図１に示すカメラに備えられたＬＥＤ発光部の発光パターンの他の例を示すグラフであり、横軸は時間を、縦軸はＬＥＤ発光部の発光色をそれぞれ示している。
図５に示す発光パターンでは、光の３原色を構成する３つの色の光（赤、緑、青）、これらの補色である３つの色の光（シアン、マゼンダ、黄（イエロー））、及び、白色光（ノーマル）の計７つの色の発光を順番に行う。【００３０】
図５のグラフＡに示す例では、発光開始直後に白色光で発光を行い、次いで赤、マゼンダ、青、シアン、緑、黄の順番で発光を行う。このグラフＡに示す発光パターンにおいて、白色以降の発光順は、いわゆる色相環における左回り方向の配列順に従っている。なお、これらの各色の発光時間は、略同じに設定されている。
撮影者は、照明光の色が変化する様子をスルー画像で確認し、所望の色となった時点でレリーズ釦３２を操作して撮影を行うことができる。【００３１】
また、図５のグラフＢに示す例では、発光開始直後に白色光で発光を行い、次いで黄、緑、シアン、青、マゼンダ、赤の順番で発光を行う。このグラフＡに示す発光パターンにおいて、白色以降の発光順は、いわゆる色相環における右回り方向の配列順に従っている。なお、各色の発光順序は、図５にグラフＡ、Ｂに示すものに限定されず、撮影者が適宜各色の発光順序を設定することができる。また、三原色、及び、これらの補色以外の色を使用して発光（上記７色未満でも上記７色以上でもよい）を行ってもよい。【００３２】
撮影時にいずれの発光モード（連続変化モード、又は、直接変化モード）で発光を行うか、及び、各発光モードにおいてどの色を使用するかは、撮影者が手動により、又は、撮像素子１１の出力に基づいてＡＳＩＣ９０が自動的に決定するようになっている。
ＡＳＩＣ９０が撮像素子１１の出力に基づいて発光パターンを決定する場合、ＡＳＩＣ９０は、撮像素子１１の出力に基づいて生成された画像データから画像全体の色の分布を判定し、最も適切な発光パターンを選択する。例えば、図３に示す例では、ろうそくＣの炎（色温度が２０００Ｋ程度の暖色）によって人物Ｐが照明されているので、ＡＳＩＣ９０は、これに類似する色を含む発光パターン（この場合では、例えば、シアンから白色を経て赤に変化する連続変化モード）を選択する。また、画像全体に複数の色が混在しているような場合には、直接変化モードで照明光の発光制御を行うとよい。【００３３】
撮影者が手動で発光モード及び使用色（以下、発光パターンと称する）を選択する場合には、ＬＣＤモニタ６０に表示されるメニュー画面を用いて決定する。
図６は、図１に示すＬＣＤモニタに表示される発光パターン決定用のメニュー画面である。
図６に示すように、ＬＣＤモニタ６０の表示画面に表示される発光パターン決定用のメニュー画面は、全ての色の基準となる白色光（Ｎ）を中心とし、この中心から複数（本実施形態では６つ）の帯状の領域が放射状に配置されている。各帯状の領域は、赤（Ｒ）、マゼンダ（Ｍ）、ブルー（Ｂ）、黄（Ｙ）、緑（Ｇ）、シアン（Ｃ）の各色に対応している。なお、このメニュー画面は、ＬＣＤモニタ６０にカラー表示され、各帯状の領域の先端部は、それぞれの対応する色に着色される。また、各帯状の領域の中間部分は、グラデーション表示される。【００３４】
撮影者は、図６に示すメニュー画面をＬＣＤモニタ６０に表示した状態で操作部３０に含まれる各種スイッチを操作して発光パターンを決定する。具体的には、連続変化モード、直接変化モードのいずれを用いるかを決定し、その上で使用する色（最初の色、途中の色、最後の色等）を指定する。
図６（ａ）は、連続変化モードで、例えば、シアンから白色光を経て赤に発光色を徐々に変化させる発光パターンを選択した場合の表示画面を示している。この場合、撮影時に使用しないマゼンダ、青、緑、黄の各色に対応する帯状の領域は、シアン及び赤に対応する帯状の領域に対して、例えば、色、模様等によって区別される。
また、図６（ｂ）は、直接変化モードで、例えば、白色光からスタートし、赤、マゼンダ、青、シアン、緑、黄の順に変化する発光パターンを選択した場合の表示画面を示している。それぞれの発光パターン決定用のメニュー画面には、発光色の変化の順序を示す矢印Ａが表示される。
なお、発光に使用する色を選択する際は、上述した７色に限らず、これらの中間の色を指定することもできる。【００３５】
次に、実施形態のカメラ１を用いて撮影を行う際にＡＳＩＣ９０が行う撮影制御、発光制御、表示制御等を図７に示すフローチャートを用いて、ステップごとに説明する。
図７は、図２に示すＡＳＩＣが撮影時に行う制御を示すフローチャートである。
（ステップＳ０１：スルー画像表示）
ＡＳＩＣ９０は、電源スイッチ３１のオン操作を検出すると、レンズ鏡筒２０に備えられたシャッタ２２を開制御するとともに撮像部１０を起動する。ＡＳＩＣ９０は、撮像部１０の出力に基づいてＬＣＤモニタ６０にスルー画像を表示させ、ステップＳ０２に進む。撮影者は、スルー画像を確認しながらフレーミングを行う。【００３６】
（ステップＳ０２：発光モード選択検出）
ＡＳＩＣ９０は、ＬＣＤモニタ６０に撮影時における照明光の発光モードを選択させるためのメニュー画面（図示省略）を表示する。照明光の発光モードとしては、例えば、閃光を発光させる閃光発光モードや、光量一定で時間の経過に応じて照明光の色を変化させる発光色変化モード等が用意されている。
撮影者によって発光色変化モードが選択されると、ＡＳＩＣ９０は、これに応じてステップＳ０３に進む。なお、発光モードの選択手法は、これに限られず、例えば、専用の押し釦を設けてもよい。
また、撮影者は、発光モードの選択と併せて、発光色の変化パターンや変化スピードをマニュアル（マニュアル設定モード）で設定するか、後述するステップＳ０６における測光の結果に応じてＡＳＩＣ９０に自動的に設定させるか（オート設定モード）を決定する。【００３７】
（ステップＳ０３：発光色制御情報呼び出し）
ＡＳＩＣ９０は、メモリ５０に格納された発光色制御情報を呼び出し、ステップＳ０４に進む。発光色制御情報には、後述するステップＳ０７において発光制御部９２が発光色に関する各種パラメータを決定する際に参照するデータが含まれる。【００３８】
（ステップＳ０４：レリーズ釦半押し検出）
ＡＳＩＣ９０は、撮影者によってレリーズ釦３２が半押し操作されたことを検出すると、ステップＳ０５に進む。
（ステップＳ０５：ＡＦ補助光照射）
ＡＳＩＣ９０は、発光制御部９２がＬＥＤ発光部７０を制御してＡＦ補助光を発光させてステップＳ０６に進む。ただし、撮影者によってＡＦ補助光の発光が禁止されている場合や、ＡＦ補助光を発光する必要がない撮影モード（例えば、風景撮影モード等）が選択されている場合には、本ステップＳ０５はスキップされ、ＡＦ補助光は照射されない。【００３９】
（ステップＳ０６：ＡＦ、ＡＥ）
ＡＳＩＣ９０は、撮影レンズ２１の一部（フォーカスレンズ）を光軸方向に移動させながら、予め設定されたＡＦエリアＦ（図３参照）において被写体像のコントラストが最も高くなるレンズ位置を検出する公知のコントラスト検出方式のＡＦ制御を行う。
また、ＡＳＩＣ９０は、撮像部１０の出力に基づいて、例えば、ＡＦエリアＦの近傍に設けられた測光点における被写体の輝度情報を取得し、この輝度情報に基づいてシャッタスピードや撮像感度等を決定するＡＥ制御を行う（ステップＳ０７に進む）。なお、ステップＳ０４におけるレリーズ釦３２の半押し操作に関わらず、フレーミング時に常時ＡＦ制御、ＡＦ制御を行うように構成しておいてもよい。【００４０】
（ステップＳ０７：初期設定）
ステップＳ０２でオート設定モードが選択されている場合、ＡＳＩＣ９０は、ステップＳ０５で得られた測光結果に基づいて、ＬＥＤ発光部７０の発光色の変化パターンと発光色の変化スピードとを決定する（ステップＳ０８に進む）。また、マニュアル設定モードが選択されている場合、ＡＳＩＣ９０は、撮影者からの入力に従って発光色の変化パターン、及び、発光色の変化スピードを決定する。【００４１】
前述したように、ＬＥＤ発光部７０には、予めいくつかの発光パターンが用意されており、発光制御部９２は、ステップＳ０２でオート設定モードが選択された場合には、測光結果に基づいてこれらの用意された発光パターンのなかから適当なものを選択する。
以下、本実施形態では、一例として発光色をシアンから白色を経て赤に変化させる連続変化モードを選択した場合を説明する。これらの発光パターンに関する情報は、メモリ５０に格納された発光色制御情報に含まれている。なお、撮影者は、オート設定モードを選択した場合であっても、発光制御部８２が設定した発光パターン（変化パターン、変化スピード）を手動入力で補正することができるようになっている。例えば、複数枚の画像を撮影する際に、複数の画像の色の違いを小さくしたい場合には、照明光の色の変化スピードを通常よりも遅くすると撮影を容易に行うことができる。【００４２】
（ステップＳ０８：レリーズ釦半押し検出）
ＡＳＩＣ９０は、再びレリーズ釦３２の半押し操作が検出されたことを検出すると、ステップＳ０９に進む。なお、ステップＳ０７で初期設定を行った後、所定の時間内にレリーズ釦３２の半押し操作を検出しない場合には、ステップＳ１１に進み、ＬＥＤ発光部７０による照明光の照射を開始する。この場合、ＬＥＤ発光部７０は、ＡＦ補助光の照射終了の直後に照明光の発光を開始する。
（ステップＳ０９：拡大モード選択確認）
ＡＳＩＣ９０は、ＬＣＤモニタ６０に選択画面を表示し、スルー画像の一部を拡大表示するか否かを撮影者に問い合わせる。
撮影者が拡大モードを選択した場合、ＡＳＩＣ９０は、後述のステップＳ１０に進み、表示制御部９３がこれに応じてスルー画像の一部を拡大表示する。撮影者が拡大モードを選択しなかった場合には、後述のステップＳ１１に進む。【００４３】
（ステップＳ１０：表示画面拡大）
表示制御部９３は、拡大表示モードが選択されると、撮像画面内の所定の領域の画像、例えば、ＡＦエリアＦを含む所定の範囲の画像を拡大表示する処理を行う。
図８は、図１に示すＬＣＤモニタに表示されるスルー画像の拡大表示の一例を示す図である。この図８において、（ａ）は、拡大表示画面と全体表示画面（拡大倍率１倍）を個別に表示した表示画面を示し、（ｂ）は、拡大表示画面を全体表示画面に重畳表示した表示画面を示している。【００４４】
図８（ａ）に示す表示画面では、ＡＦエリアＦを含む部分（人物Ｐの顔の部分）をピンポイントで拡大表示する。この拡大表示画面６１は、図８（ａ）に示すように、ＬＣＤモニタ６０の画像表示領域の３／４程度を使用して表示され、その他の領域６２に被写体像の全部（スルー画像の全体）が縮小表示される（ステップＳ１１に進む）。この領域６２の大きさは、拡大表示画面６１の大きさよりも小さいものである。
この拡大表示モードを選択することによって、撮影者は、被写体のうちＡＦエリアＦが設定された部分（ピントを合わせる部分）の被写体を詳細に確認することができる。
また、図８（ｂ）に示す表示画面では、全体表示モードで表示されている画像６３の中に（上に）、拡大表示用の表示窓６４を重畳表示させ、この表示窓６４の中にＡＦエリアＦを含む部分拡大表示を表示させる。
図８（ａ）及び（ｂ）に示す拡大表示モードのいずれを使用するかは、スルー画像を表示させた状態で撮影者が切り替えることができるようになっている。【００４５】
（ステップＳ１１：照射開始）
ＡＳＩＣ９０は、発光制御部９２がＬＥＤ発光部７０を制御し、被写体Ｐに対して照明光の照射を開始させ、ステップＳ１２に進む。なお、発光制御部９２は、ステップＳ０４やステップＳ０８でレリーズ釦３２の半押し操作を検出しない場合であっても、発光開始釦３６の押圧操作を検出した場合には、ＬＥＤ発光部７０による照明光の発光制御（ステップＳ１１以降の制御）を開始する。
このステップＳ１１から後述するステップＳ１６でＬＥＤが消灯されるまでの間、発光制御部９２は、ＬＥＤ発光部７０から照射される照明光の発光色を経過時間に応じて、例えば、シアンから赤に徐々に変化させながら（ＬＥＤに印加する電流を変化させることで発光色を変化させながら）、ＬＥＤから連続光を照射させ続ける。ただし、後述するステップＳ１５で撮像素子１１に対して被写体像を撮像（記録）している間、ＬＥＤ発光部７０は、その時点での発光色を変化させない（発光色を保持する）ようになっている。
なお、本ステップＳ１１は、ステップＳ０８にて、レリーズ釦半押し検出がなされると実行されるものであり、換言すれば、ユーザによるレリーズ釦３２の半押し操作に応じて実行されるものである。【００４６】
（ステップＳ１２：色変化パターン及び色変化インジケータ表示）
ＡＳＩＣ９０は、表示制御部９３が図３に示すように、発光色の変化パターン６５及び変化状態を示すインジケータ６６をＬＣＤモニタ６０に表示させる（ステップＳ１３に進む）。
図３に示すように、発光パターン６５は、図６に示す発光パターン決定用のメニュー画面と同様のものがＬＣＤモニタ６０の表示画面の一部（例えば、右下隅）に表示される。
また、図３に示すように、インジケータ６６は、選択された発光モードに対応する色変化の初期の色から最終の色までの変化状態を示すバーグラフ状（帯グラフ）に形成されており、例えば、発光色の変化に応じて、その一部の色が変化するようになっている。
撮影者は、このインジケータ６６を確認することによって、例えば、現在の照明光の色が基準となる白色に対してどの程度離れているのか、照明光が完全な赤色となるまで、あとどの程度照明光の色を変化させることができるか等を知ることができる。【００４７】
（ステップＳ１３：色判定）
ＡＳＩＣ９０は、ステップＳ１１で開始した発光色変化制御、及び、ステップＳ１２で開始した表示制御を行いつつ、ＬＥＤ発光部７０の発光色が、ステップＳ０７において設定した色（本実施形態では、例えば、赤）となったか否かを判定する。具体的には、３つのＬＥＤの発光量の割合を判定し、照明光の全体に占める赤のＬＥＤの発光量が１００％（（Ｒ、Ｇ、Ｂ）＝（２５５、０、０））となったか否かを判定する。発光色が赤に達していない場合には、ステップＳ１４に進み、発光色が赤に達した場合には、ステップＳ１６に進む。【００４８】
（ステップＳ１４：レリーズ釦全押し検出）
ＡＳＩＣ９０は、レリーズ釦３２の全押し操作を検出すると、ステップＳ１１から行われている発光色変化制御をいったん停止（全押し時点でのＬＥＤ発光部７０の発光色を維持する）してから、ステップＳ１５に進み、レリーズ釦３２の全押し操作を検出しない場合には、ステップＳ１３に戻って以降の処理を繰り返す。【００４９】
（ステップＳ１５：画像データ一時保存）
ＡＳＩＣ９０は、撮影制御部９１がレリーズ釦３２の全押し操作に応じて撮影動作を開始する。具体的には、撮像部１０は、その時点からの被写体光の蓄積を開始し、シャッタ２２を閉じて蓄積終了すると、光電変換により電気信号に変換してＡＳＩＣ９０に出力し、ＡＳＩＣ９０は、図示しない画像処理部がこの電気信号に基づいて画像データを生成する。
ＡＳＩＣ９０は、この画像データをメモリ５０に書き込んで保存した後、ＬＥＤの照射光の色変化制御を再開するとともに、ステップＳ１３に戻って以降の処理を繰り返す。したがって、ＬＥＤ発光部７０から照射される照明光の色が赤になるまでは、レリーズ釦３２の全押し操作によって繰り返し撮影を行うことができる。そして、この繰り返し撮影を行っている際にも、撮影後には継続して照明光の色が変化し続ける（ただし、１コマ撮影中の発光色は一定）ので、撮影された複数の画像は、それぞれ被写体に対する照射光の色が異なる画像となる。したがって、カメラ１は、ステップＳ１３からステップＳ１５の処理を繰り返すことによって、それぞれの画像で照明光の色が異なる、いわゆるブラケッティング撮影を行うことが可能になる。【００５０】
（ステップＳ１６：ＬＥＤ発光部消灯）
ステップＳ１３で照明光の色が赤に達したと判定した場合、発光制御部９２は、ＬＥＤ発光部７０による照明光の照射を終了（消灯）させ、ステップＳ１７に進む。
（ステップＳ１７：繰り返し撮影判定）
カメラ１は、撮影者によるレリーズ釦３２の半押し操作に応じて発光色変化モードで繰り返して撮影を行うようになっている。ＡＳＩＣ９０は、ステップＳ１６でＬＥＤ発光部７０を消灯した後、所定の時間が経過する以前にレリーズ釦３２の半押し操作を検出すると、これに応じてステップＳ２０（後述）に進み、継続撮影制御を行う。
これに対し、上述の所定時間が経過する以前にレリーズ釦の半押し操作を検出しない場合、ＡＳＩＣ９０は、これに応じてステップＳ１８に進む。【００５１】
（ステップＳ１８：撮影画像表示）
ＡＳＩＣ９０は、ステップＳ１５においてメモリ５０に保存した画像データを、撮影済み画像としてＬＣＤモニタ６０に表示する。照明光の発光色を異ならせて撮影した複数の画像データがある場合には、ＡＳＩＣ９０は、これらの画像データに基づく撮影画像をサムネイル表示してステップＳ１９に進む。なお、照明光を照射している間にレリーズ釦３２の全押し操作（ステップＳ１４）を検出しなかった場合（撮影画像データがない場合）、ＡＳＩＣ９０は、このステップＳ１８及び次のステップＳ１９をスキップして処理を終了する。
（ステップＳ１９：画像データ記録）
ＡＳＩＣ９０は、ステップＳ１８でＬＣＤモニタ６０に表示した撮影画像のうち、撮影者によって選択された画像データをカード４０に記録して処理を終了する。【００５２】
（ステップＳ２０：設定変更確認）
ＡＳＩＣ９０は、ＬＣＤモニタ６０に設定変更を行うか否かの確認画面を表示し、撮影者に対してステップＳ０７で設定された初期設定の変更を行うか否かを問い合わせる。撮影者が設定変更を行わない（同じパラメータで再撮影する）旨の選択を行った場合には、ステップＳ０８に戻り、ＡＳＩＣ９０は、ステップＳ０７で設定したパラメータで再び発光色変化制御を行う。
これに対し、撮影者が設定変更を行う旨の選択を行った場合には、ＡＳＩＣ９０は、これに応じてステップＳ０７に戻り、ＬＣＤモニタ６０に設定画面を表示する。撮影者は、この設定画面で発光色の変化パターン及び変化スピードをマニュアルで設定し直し、再度撮影を行う。このとき、マニュアル設定以外にも、再び測光を行って（ステップＳ０６に戻って）自動的に発光色の変化パターンが決定されるようにしてもよい。【００５３】
以上説明した第１実施形態のカメラによれば、以下の効果を得ることができる。
（１）ＬＥＤ発光部７０が発光する照明光の色が時間に応じて変化するので、撮影者は、照明光の色が所望の色となった時点でレリーズ釦３２の操作を行うことによって、所望の色の照明光で照射された被写体を撮影できる。これにより、撮影環境の雰囲気が反映された画像を撮影することや、自然光や白色光では表現が不可能な画像を容易に撮影できる。
（２）フレーミング中に照明光の色がリアルタイムで変化するので、照明光の色が所望の色となった時点で速やかに撮影を行うことができる。
（３）発光量の変化状態をインジケータ６６によって表示するので、撮影者は、照明光の色が今後どのように変化するのかを予測することができ、撮影動作を開始させるタイミングを把握しやすい。
（４）連続変化モードでは、発光色が経過時間に応じて原色とその補色との間を変化するので、制御が容易である。
（５）照明光の発光色が変化している最中にレリーズ釦３２の全押し操作を複数回行うことによって、照明効果の異なった複数の画像を撮影（ブラケッティング撮影）することができるので、好みの色で照明された写真を撮ることができる確率が高くなる。
（６）発光色の変化パターン、及び、変化スピードをマニュアル操作で任意に設定できるとともに、測光結果に基づいてＡＳＩＣ９０に自動設定をさせることもできるので、便利である。
（７）発光色の変化スピードを任意の値に設定できるので、例えば、発光量の変化スピードを遅くすれば、撮影者は、シャッターチャンスを逃すことなく、所望の発光色での撮影を行いやすくなる。
（８）発光色の変化幅を任意に設定できるので、例えば、所望の色の付近のみで発光色を変化させることによって、撮影時間を短縮できる。
（９）フレーミング時にスルー画像のうち、ＡＦエリアＦに対応する領域を拡大表示するので、ピントが合う位置における被写体の照射具合を詳細に確認できる。【００５４】
［第２実施形態］
次に、本発明を適用した撮影用照明装置を含むカメラの第２実施形態について説明する。この第２実施形態において、上述した第１実施形態と同様な機能を果たす部分には、同一の符号又は末尾に統一した符号を付して、重複する説明や図面を適宜省略する。
第２実施形態のカメラ１０１は、第１実施形態のカメラ１と略同じ構造を備えているので、図１及び図２に括弧付きの数字を付して説明する。【００５５】
第２実施形態のカメラ１０１は、第１実施形態のカメラ１と同様に、撮影時においてＬＥＤ発光部７０が発光する照明光の色を変化させる制御を行う。また、第２実施形態のカメラ１０１は、発光色を変化させる制御（１ループ目）を行い、その発光色が設定された最終的な色（上述した第１実施形態の場合、赤）に達した場合、発光色を変化させる制御を再度（２ループ目）、自動的に行うようになっている。【００５６】
そして、第２実施形態のカメラ１０１は、１ループ目の発光中に撮影者によるレリーズ釦３２の全押し操作に応じて撮影予約を受け付け、２ループ目の発光制御時にＬＥＤ発光部７０の発光色が予約受け付け時の発光色と略同じとなった時点で撮影動作を開始する。
また、第２実施形態のカメラ１０１は、発光色が予約受け付け時と略同じとなるタイミングよりも早いタイミング、及び、遅いタイミングで、それぞれ撮影動作を実行する。カメラ１０１は、これによって、撮影者が所望する色の照明光で被写体が照射された画像と併せて、この画像とは照明光の色の異なった２枚の画像を自動的に撮影する。【００５７】
また、第２実施形態のカメラ１０１は、２ループ目の発光を行った後に、３ループ目の発光を自動的に行うようになっている。３ループ目の発光では、１ループ目で予約された色と同じ色に照明光の色を固定し、発光量を時間の経過に応じて徐々に大きくする制御を行う。そして、１ループ目のＡＥ制御によって決定された適正発光量に達するよりも早いタイミング、及び、この適正発光量に達したタイミングより遅れて、それぞれ自動的に撮影を行う。
第２実施形態のカメラ１０１は、これによって、２ループ目の２枚目の画像（発光色、発光量とも予約入力じと同じ画像）とは、照明光の色が同じで発光量が異なる２枚の画像を撮影する。なお、ＬＥＤ発光部７０の発光量を徐々に大きくする制御は、ＬＥＤに印加する電流値を制御することによって行う。【００５８】
以下、第２実施形態のカメラ１０１に備えられたＡＳＩＣ１９０が行う撮影時に行う制御について説明する。
図９は、第２実施形態のカメラ１０１に備えられたＡＳＩＣ１９０が撮影時に行う制御を示すフローチャートである。
第１実施形態のＡＳＩＣ９０が行うステップＳ０１からステップＳ１０までの制御は、第２実施形態のＡＳＩＣ１９０も同様に行うので、ここではその説明を省略し、以降の処理を説明する。【００５９】
ＡＳＩＣ１９０は、レリーズ釦３２の半押し操作に応じて発光制御部１９２がＬＥＤ発光部７０を制御して被写体に対して照明光を照射させる（ステップＳ１１１）。そして、ＡＳＩＣ９０は、ＬＥＤ発光部７０の発光色変化制御を行いつつ、表示制御部１９３がＬＣＤモニタ６０に発光パターン６５と発光色の変化状態を示すインジケータ６６（図３参照）とを表示させる（ステップＳ１１２）。【００６０】
撮影者は、ＬＥＤ発光部７０によって照明される被写体（スルー画像）をＬＣＤモニタ６０で観察しながら、照明光の色が所望の色となった時点でレリーズ釦３２を全押し操作することによって、ＡＳＩＣ１９０に対して撮影予約信号を発信する。
ＡＳＩＣ１９０は、レリーズ釦３２の全押し操作を検出すると（ステップＳ１１４＝Ｙｅｓ）、これに応じて撮影予約を受け付ける。ＡＳＩＣ１９０は、撮影予約を受け付けると、メモリ５０にレリーズ釦３２が全押し操作された時点でのＬＥＤ発光部７０の発光色（各ＬＥＤに対する電流値）を記録する（ステップＳ１１５）。
この撮影予約は、ＬＥＤ発光部７０の色が最終の色（第１実施形態の例では赤）になる以前であれば、繰り返し（複数回）行うことができる。【００６１】
以下、一例として発光色をシアンからノーマルを経て赤に変化させる場合に撮影予約が行われた場合を説明する。
図１０は、第２実施形態のカメラにおいて、撮影予約を受け付けた場合のＬＣＤモニタの表示画面を示す図である。
１ループ目の発光中に撮影予約（レリーズ釦３２の全押し操作）がされると、ＬＣＤモニタ６０には、インジケータ６６と併せて、例えば、３角形の予約指標６７が表示される。図１０に示す指標表示６６は、どの色の時点で撮影予約が受け付けられたかを示すものであり、この図１０の場合には、発光色が略ノーマルのときに撮影予約が行われたことを示している。なお、撮影予約が複数回行われた場合には、予約指標６７も複数個が表示される。【００６２】
ＬＥＤ発光部７０の発光色が赤（最終色）になると、ＡＳＩＣ１９０は、撮影予約の有無を判定し（ステップＳ１１６）、撮影予約がない場合、ステップＳ１１１に戻って再びＬＥＤ発光部７０の発光（１ループ目）を開始し、撮影予約信号の入力を待つ。
また、撮影予約がある場合、ＡＳＩＣ１９０は、ＬＥＤ発光部７０の２ループ目の発光を開始させる（ステップＳ１１７）。【００６３】
ＡＳＩＣ１９０は、この２ループ目の発光制御を行いつつ、自動的に撮影時の照明光の色をずらしたブラケッティング撮影を行う。なお、２ループ目の発光は、１ループ目と同様にシアンからスタートしてもよいし、予約受付時の発光色に近い色からスタートしてもよい。後者の場合、撮影時間の短縮となる。
ＡＳＩＣ１９０は、例えば、１回目の予約（略ノーマル）に応じた撮影を行う場合、ノーマル（白色）よりも、シアン寄りの色（薄く青味がかった白）のときに１回目の撮影動作を開始し、この撮影動作によって生成された画像データをメモリ５０に保存する（ステップ１１８）。このようなブラケッティング撮影を行う際、発光色を予約時の発光色に対してどの程度ずらすかは、任意に設定することができる。【００６４】
またＡＳＩＣ１９０は、ＬＥＤ発光部７０の発光量が予約受付時の発光色と略同じ（略ノーマル）となった時点（ステップ１１９）、及び、予約受付時の発光色よりも赤寄りの色（薄く赤味がかった白）となった時点（ステップＳ１２０）でもそれぞれ撮影動作を開始し、これらの撮影動作によって生成された画像データをメモリ５０に保存する。撮影予約が複数設定されている場合、ＡＳＩＣ１９０は、ステップＳ１１７に戻ってそれぞれの撮影予約に応じたブラケッティング撮影を行う。【００６５】
ＡＳＩＣ１９０は、発光色をずらしたブラケッティング撮影を終えると、３ループ目の発光を開始する（Ｓ１２１）。この３ループ目の発光は、発光色を予約受付時の発光色に固定して行う。
３ループ目の発光において、ＡＳＩＣ１９０は、時間の経過に応じて照明光の発光量を変化させるとともに、予約受付時の発光量（ＡＥで決定した発光量）よりも光量を減らした（露出アンダー気味の）画像と、光量を増やした（露出オーバー気味の）画像を撮影する（ステップＳ１２２、Ｓ１２３）。予約が複数回行われている場合には、ステップＳ１２１に戻って、同様にブラケッティング撮影を行う。【００６６】
このように、第２実施形態のカメラでは、１回の撮影予約に対して、撮影予約を行った時点と同じ条件で撮影するひとつの画像（基準画像）、この基準画像と発光量が同じで発光色の異なる２つの画像、及び、基準画像と発光色が同じで発光量が異なる２つの画像の合計５枚の画像を撮影する。
この後、ＡＳＩＣ１９０は、ＬＥＤ発光部７０の発光を終了させるとともに（ステップＳ１２４）、ブラケッティング撮影を行った画像をＬＣＤモニタ６０に表示する（図７のステップＳ１８参照）。撮影者は、複数の画像を観察して、所望の画像を選択してカード４０に記録させる。【００６７】
以上説明した第２実施形態のカメラ１０１は、１ループ目では撮影予約を受け付け、２ループ目で撮影を行うので、撮影者は、１ループ目では、撮影構図の決定よりも被写体に対して照射する照明光の色の決定に集中できる。また、２ループ目では、照明光が１ループ目で設定した色と同じになった時点で自動的に撮影が開始されるので、撮影者は、撮影構図の決定に集中できる。
このように、第２実施形態のカメラ１０１は、撮影者が発光色の決定作業と構図決定作業を別々に行うことができるので、使い勝手が向上する。
また、仮に所望の色になったタイミングに対して、実際に予約を入力（レリーズ釦３２の全押し操作）するタイミングがずれたとしても、２ループ目で自動的に発光色のずれた画像を撮影するので、所望の色の照明光で照射された画像を得ることができる可能性が高くなる。
また、３ループ目では、ＡＥ制御に基づいて決定した発光量で撮影した画像に対して、露出アンダー、露出オーバーの画像を併せて自動的に撮影するので、適正露出の画像を撮影できる確率が高くなる。【００６８】
［第３実施形態］
次に、本発明を適用した撮影用照明装置を含むカメラの第３実施形態について説明する。この第３実施形態において、上述した第１実施形態と同様な機能を果たす部分には、同一の符号又は末尾に統一した符号を付して、重複する説明や図面を適宜省略する。図１１は第３実施形態のカメラ２０１の外観図であり、（ａ）は、カメラを正面から、（ｂ）は、カメラを背面からそれぞれ見た場合の平面図である。第３実施形態のカメラ２０１のブロック図は、第１実施形態のカメラ１と略同様であるので、図２に括弧付きの数字を付して説明する。
第３実施形態は、図１で示す発光開始釦３６を備えず、図１１で示すように、筐体の正面部１ａにおいて、ＡＦ補助光を発光するＬＥＤ２がＬＥＤ発光部７０とは別に設けられ、さらにリモコン受光窓３等も設けられている。また、カメラ２０１の背面に再生モード釦３７及び撮影モード釦３８を備える。再生モード釦３７は、撮影モードから再生モードへの切り替えを行う際に、撮影モード釦３８は、再生モードから撮影モードへの切り替えを行う際に操作されるものである。
そして第３実施形態では、レリーズ釦３２の半押し操作に応じて後述するＬＥＤの発光動作（発光を開始してからの経過時間に応じて徐々に発光輝度を変えながら発光する発光動作）を開始するようになっている。【００６９】
ここで、第３実施形態のカメラ２０１は、ＬＥＤ発光部７０によって、連続光を被写体に照射しつつ、このＬＥＤ発光部７０の発光量を時間の経過に応じて徐々に多くする発光量増大モード、又は、発光量を時間の経過に応じて徐々に少なくする発光量減少撮影モードで撮影を行うことができるようになっている。以下、本明細書において、このようにＬＥＤ発光部７０の発光量を徐々に変化させる撮影モードを照明光可変モードと称して説明する。
また、連続光とは、ある程度の時間、継続して発光し続ける光を意味し、閃光のように瞬間的に発光する光とは異なるものを意味する。
なお、第３実施形態のカメラ２０１は、上述の照明光可変モードの他に、閃光を発光して撮影を行う通常の撮影モードを選択することもできるようになっている。また、この発光は、ＬＥＤで得られるものであってもよいし、あるいは、このＬＥＤとは別にキセノン管を設けておき、そのキセノン管で得るようにしてもよい。【００７０】
ＬＥＤ発光部７０は、例えば、複数のＬＥＤやこれらの複数のＬＥＤに対応して設けられた複数のトランジスタ等を含む発光量制御回路を備えている（ＬＥＤ、発光制御回路は、それぞれ図示を省略する）。ＡＳＩＣ２９０に備えられた発光制御部２９２は、複数のトランジスタのオン、オフ制御を行うことによってＬＥＤに流れる電流量を制御し、これによってＬＥＤ発光部７０から照射される連続光の発光量及び発光量の変化スピードを制御するようになっている。なお、ＬＥＤ発光部７０に備えられたＬＥＤの数は特に限定されず、例えば、１つでも２つ以上でもよい。また、ＬＥＤ発光部７０の発光量を変化させる手法も、上述したものに限らず、例えば、複数個のＬＥＤを設け、発光するＬＥＤの個数を増減させるようなものでもよい。【００７１】
図１２は、カメラ２０１に備えられたＬＥＤ発光部７０の発光パターンを示すグラフであり、横軸は時間を、縦軸はＬＥＤ発光部７０の発光量をそれぞれ示している。
図１２（ａ）のグラフＡは発光量増大モード、グラフＢは発光量減少モードにおける発光量の変化をそれぞれ示している。
本実施形態のＬＥＤ発光部７０は、構造上、図１２に示すように発光量が所定時間ごとに段階的に変化するようになっているが、発光量がスムースに変化して見えるように発光量制御回路及び発光制御プログラムをチューニングするとよい。【００７２】
また、発光制御部２９２は、ＬＥＤ発光部７０の発光量変化範囲、及び、発光量の変化スピードを任意の値に設定できるようになっている。
図１２（ｂ）のグラフは、発光量の変化範囲及び変化量スピードが異なる複数の発光パターンの一例を示している。グラフＡ１及びグラフＡ２の発光パターンはフル発光量（最大発光量）は同じであるが、グラフＡ２の方がフル発光量に到達するまでの時間が早い。また、グラフＡ３の発光パターンは、グラフＡ１の発光パターンに比べてフル発光時の発光量が少ないが、フル発光に到達するまでの時間はグラフＡ１の発光パターンと同じである。グラフＡ４の発光パターンは、発光開始時の発光量がゼロではなく、フル発光量の半分程度の発光量で発光を開始する。【００７３】
照明光可変モードで撮影を行う場合、カメラ２０１は、ＬＥＤ発光部７０の発光量、すなわち、被写体に照射する連続光の光量が時間の経過とともに徐々に変化する。この間、撮像素子１１には被写体からの反射光（被写体光）が露光され、この被写体光に基づくスルー画像がＬＣＤモニタ６０に表示される。
発光量増大モードでは、被写体からの反射光（被写体光）は、始めに暗く、徐々に明るくなるので、撮影者は、被写体が徐々に明るくなる様子をスルー画像によってリアルタイムで確認することができる。同様に、発光量減少モードでは、撮影者は、被写体が徐々に暗くなる様子をリアルタイムで確認することができる。
そして、撮影者は、スルー画像によって被写体像を確認しながら、発光量が最も適切と思われるタイミングでレリーズ操作（レリーズ釦３２の全押し操作）を行って、カメラ２０１に撮影動作を開始させることができる。【００７４】
次に、第３実施形態のカメラ２０１を使用して、照明光可変モードのうち発光量増大モードで撮影を行う際にＡＳＩＣ２９０が行う制御について説明する。
図１３は、図１１に示すカメラ２０１に備えられたＡＳＩＣ２９０が撮影時に行う制御を示すフローチャートである。以下、ステップごとに説明する。【００７５】
（ステップ２０１：スルー画像表示）
ＡＳＩＣ２９０は、電源スイッチ３１のオン操作を検出すると、レンズ鏡筒２０に備えられたシャッタ２２を開制御するとともに撮像部１０を起動する。ＡＳＩＣ２９０は、撮像部１０の出力に基づいてＬＣＤモニタ６０にスルー画像を表示させ、ステップＳ２０２に進む。撮影者は、スルー画像を確認しながらフレーミングを行う。
（ステップＳ２０２：照明光可変モード選択検出）
ＡＳＩＣ２９０は、ＬＣＤモニタ６０に発光量増大モード及び発光量減少モードのいずれかを選択させるための選択画面を表示し、撮影者によって発光量増大モードが選択されると、これに応じてステップＳ２０３に進む。なお、モード選択の手法は、これに限られず、例えば、専用の押し釦を設けてもよい。
また、撮影者は、モード選択と併せて、発光量の変化幅及び変化スピードをマニュアル（マニュアル設定モード）で設定するか、後述するステップＳ２０５における測光の結果に応じてＡＳＩＣ２９０に自動的に設定させるか（オート設定モード）を決定する。【００７６】
（ステップＳ２０３：発光量制御情報呼び出し）
ＡＳＩＣ２９０は、メモリ５０に格納された発光量制御情報を呼び出し、ステップＳ２０４に進む。発光量制御情報には、後述するステップＳ２０６において、発光制御部２９２が発光量に関する各種パラメータを決定する際に参照するデータが含まれる。【００７７】
（ステップＳ２０４：レリーズ釦半押し検出）
ＡＳＩＣ２９０は、撮影者によってレリーズ釦３２が半押し操作されたことを検出すると、ステップＳ２０５に進んで、ＡＦ制御及びＡＥ制御を行う。なお、半押し操作の前に、常時ＡＥ、ＡＦを行うように構成しておいてもよい。
（ステップＳ２０５：ＡＦ、ＡＥ）
ＡＳＩＣ２９０は、例えば、撮影レンズ２１の一部（フォーカスレンズ）を光軸方向に移動させながら、予め設定されたＡＦエリアＦにおいて被写体像のコントラストが最も高くなるレンズ位置を検出する公知のコントラスト検出方式のＡＦ制御を行う。
また、ＡＳＩＣ２９０は、撮像部１０の出力に基づいて、例えば、ＡＦエリアの近傍に設けられた測光点における被写体の輝度情報を取得し、この輝度情報に基づいてシャッタスピードや撮像感度等を決定するＡＥ制御を行う（ステップＳ２０６に進む）。【００７８】
（ステップＳ２０６：初期設定）
ステップＳ２０２でオート設定モードが選択されている場合、ＡＳＩＣ９０は、ステップＳ２０５における測光結果に応じてＬＥＤ発光部７０の発光量変化範囲（最小発光量及び最大発光量）と発光量の変化スピード（最小発光量から最大発光量に至るまでの時間）とを決定する（ステップＳ２０７に進む）。また、マニュアル設定モードが選択されている場合、ＡＳＩＣ２９０は、撮影者からの入力に従って発光量変化範囲、及び、発光量変化スピード（発光パターン）を決定する。【００７９】
ここで、ＬＥＤ発光部７０には、予めいくつかの発光パターンが用意されており、発光制御部２９２は、オート設定モードが選択された場合には、測光結果に基づいてこれらの用意された発光パターンのなかから適当なものを選択する。これらの発光パターンに関する情報は、メモリ５０に格納された発光量制御情報に含まれている。
例をあげて説明すると、例えば、測光の結果、被写体からの反射光が所定の基準値よりも明るい場合には、発光制御部２９２は、ＬＥＤ発光部７０の能力の最大値まで発光を行う必要がないと判断し、例えば、図１２（ｂ）のグラフＡ３に示すような発光パターンで発光制御を行う。また、例えば、被写体からの反射光が所定の基準値よりも暗い場合には、図１２（ｂ）のグラフＡ４に示すような発光パターンで発光制御を行う。なお、撮影者は、オート設定モードを選択した場合であっても、発光制御部２９２が設定した発光パターンを手動入力で補正することができるようになっている。【００８０】
（ステップＳ２０７：レリーズ釦半押し検出）
ＡＳＩＣ２９０は、再びレリーズ釦３２の半押し操作が検出されたことを検出すると、ステップＳ２０８に進む。
（ステップＳ２０８：拡大モード選択確認）
ＡＳＩＣ２９０は、ＬＣＤモニタ６０に選択画面を表示し、スルー画像の一部拡大表示を行うか否かを撮影者に問い合わせる。
撮影者が拡大モードを選択した場合、ＡＳＩＣ２９０は、後述のステップＳ２０９に進み、これに応じてスルー画像の一部を拡大表示する。撮影者が拡大モードを選択しなかった場合には、後述のステップＳ２１０に進む。【００８１】
（ステップＳ２０９：表示画面拡大）
図１４は、図１１に示すカメラ２０１に備えられたＬＣＤモニタに２６０表示されるスルー画像の一例を示す図である。この図１４において、（ａ）は、通常表示モード（拡大倍率１倍）の表示画面を示し、（ｂ）は、拡大表示モードでの表示画面を示している。
本実施形態のＡＳＩＣ２９０は、第１実施形態と同様に、拡大表示モードが選択されると、撮像画面内の所望の領域の画像、例えば、ＡＦエリアＦを含む所定の範囲の画像を拡大表示する処理を行う。
図１４（ａ）に示すように、通常表示モードでは、ＡＦエリアＦは、画面略中央であって、主要な被写体である人物Ｐの顔の部分に設定されている。
そして、図１４（ｂ）に示すように拡大表示モードでは、ＡＦエリアＦを含む部分（人物Ｐの顔の部分）をピンポイントで拡大表示する。なお、図１４（ｂ）に示すように、拡大表示画面６１は、ＬＣＤモニタ６０の画像表示領域の３／４程度の領域を使用して表示され、その他の領域６２に被写体像の全部（スルー画像の全体）を縮小表示する（ステップＳ２１０に進む）。この領域６２の大きさは、拡大表示画面６１の大きさよりも小さいものである。
この拡大表示モードを選択することによって、撮影者は、被写体のうちＡＦエリアＦが設定された部分（ピントを合わせる部分）の被写体の明るさを（明るさの変化状態も）詳細に確認することができる。
なお、拡大表示のさせ方としては、図１４（ｂ）に示される表示形態に限られるものではなく、図１４（ｃ）に示すような通常表示モードで表示されている画像６３の中に（上に）、拡大表示用の表示窓６４を重畳表示させ、この表示窓６４の中に拡大表示を表示させる表示形態としてもよい。【００８２】
（ステップＳ２１０：照射開始）
ＡＳＩＣ２９０は、発光制御部２９２がＬＥＤ発光部７０を制御して、被写体に対して照明光を照射させ、ステップＳ２１１に進む。
このステップＳ２１０から後述するステップＳ２１５でＬＥＤが消灯されるまでの間、発光制御部２９２は、その発光量を経過時間に応じて徐々に変化させながら（ＬＥＤに印加する電流を上げることで発光輝度を徐々に上げながら）、ＬＥＤから連続光を照射させ続ける。なお、後述するが、ステップＳ２１４で撮像（記録）している間は、ＬＥＤは、その時点での輝度は変化させないようになっている。
なお、本ステップＳ２１０は、ステップＳ２０７にて、レリーズ釦半押し検出がなされると実行されるものであり、換言すれば、ユーザによるレリーズ釦３２の半押し操作に応じて実行されるものである。【００８３】
（ステップＳ２１１：発光量インジケータ表示）
ＡＳＩＣ２９０は、ＬＥＤ発光部７０が照射する連続光の発光量が時間の経過に応じて徐々に明るくなるように発光量増大制御を行いつつ、ＬＣＤモニタ６０に発光量の変化状態を示すインジケータを表示する（ステップＳ２１２に進む）。
図１５は、図１４に示すスルー画像に合わせて発光量の変化状態を示すインジケータを表示した状態の表示画面（閃光撮影の一形態である逆光シーン）の一例を示す図である。この図１５において、（ａ）は発光開始直後、（ｂ）は発光量が最大となる直前の状態を示している。【００８４】
図１５（ａ）及び（ｂ）に示すように、ＬＣＤモニタ６０の表示画面に表示されるインジケータ６６は、バーグラフ状（帯グラフ）に形成されており、例えば、発光量に応じて、その一部の色が変化するようになっている。
撮影者は、このインジケータ６６を確認することによって、例えば、現在の発光量が最大発光量に対してどの程度であるか、すなわち、あとどの程度被写体を明るく照らすことができるかを知ることができる。【００８５】
（ステップＳ２１２：最大発光量判定）
ＡＳＩＣ９０は、ステップＳ２１０で開始した発光量増大制御、及び、ステップＳ３で開始したインジケータ表示制御を行いつつ、ＬＥＤ発光部７０の発光量が、ステップＳ２０６において設定した最大発光量に達したか否かを判定する。発光量が最大発光量に達していない場合には、ステップＳ２１３に進み、発光量が最大発光量に達した場合には、ステップＳ２１５に進む。【００８６】
（ステップＳ２１３：レリーズ釦全押し検出）
ＡＳＩＣ９０は、レリーズ釦３２の全押し操作を検出すると、ステップＳ２１０から行われているＬＥＤの照射光の輝度変化制御をいったん停止（全押し時点でのＬＥＤ輝度に維持する）してから、ステップＳ２１４に進み、レリーズ釦３２の全押し操作を検出しない場合には、ステップＳ２１２に戻って以降の処理を繰り返す。【００８７】
（ステップＳ２１４：画像データ一時保存）
ＡＳＩＣ２９０は、撮影制御部２９１がレリーズ釦３２の全押し操作に応じて撮影動作を開始する。具体的には、撮像部１０は、その時点からの被写体光を蓄積開始し、シャッタ２２を閉じて蓄積終了すると、光電変換により電気信号に変換してＡＳＩＣ２９０に出力し、ＡＳＩＣ２９０は、図示しない画像処理部がこの電気信号に基づいて画像データを生成する。
ＡＳＩＣ２９０は、この画像データをメモリ５０に書き込んで保存した後、ＬＥＤの照射光の輝度変化制御を開始するとともに、ステップＳ２１２に戻って以降の処理を繰り返す。したがって、ＬＥＤ発光部７０の発光量が最大になるまでは、レリーズ釦３２の全押し操作に応じて繰り返し撮影を行うことができる。そして、この繰り返し撮影を行っている際にも、撮影のたびに照明光の発光量は増大し続ける（ただし、１コマ撮影中の発光量は一定）ので、撮影された複数の画像は、それぞれ被写体に対する照射光量が異なる画像となる。したがって、カメラ２０１は、ステップＳ２１２からステップＳ２１４の処理を繰り返すことによって、いわゆるブラケッティング撮影を行うことが可能になる。【００８８】
（ステップＳ２１５：ＬＥＤ発光部消灯）
ステップＳ２１２で最大発光量に達したと判定した場合、ＡＳＩＣ２９０は、発光制御部２９２がＬＥＤ発光部７０による照明光の照射を終了（消灯）させ、ステップＳ２１６に進む。
（ステップＳ２１６：繰り返し撮影判定）
撮影者は、レリーズ釦３２を半押し操作することによって、繰り返し発光量増大モードで撮影を継続することができるようになっており、ＡＳＩＣ２９０は、ＬＥＤ発光部７０を消灯した後、所定時間が経過する以前にレリーズ釦３２の半押し操作を検出すると、これに応じてシャッタ２２を開制御するとともにステップＳ２１９（後述）に進み、継続撮影制御を行う。
これに対し、上述の所定時間が経過する以前にレリーズ釦３２の半押し操作を検出しない場合、ＡＳＩＣ２９０は、これに応じてステップＳ２１７に進む。【００８９】
（ステップＳ２１７：撮影画像表示）
ＡＳＩＣ９０は、ステップＳ２１４においてメモリ５０に保存した画像データを、撮影済み画像としてＬＣＤモニタ６０に表示する。照明光の発光量を異ならせて撮影した複数の画像データがある場合には、ＡＳＩＣ９０は、これらの画像データに基づく撮影画像をサムネイル表示してステップＳ２１８に進む。なお、照明光を照射している間にレリーズ釦３２の全押し操作を検出しなかった場合（画像データがない場合）、ＡＳＩＣ２９０は、このステップＳ２１７及び次のステップＳ２１８をスキップして処理を終了する。
（ステップＳ２１８：画像データ記録）
ＡＳＩＣ２９０は、ステップＳ２１７でＬＣＤモニタ６０に表示した撮影画像のうち、撮影者等のユーザによって選択された画像データをカード４０に記録して処理を終了する。【００９０】
（ステップＳ２１９：設定変更確認）
ＡＳＩＣ２９０は、ＬＣＤモニタ６０に設定変更を行うか否かの確認画面を表示し、撮影者に対して発光量増大モードの設定変更を行うか否かを問い合わせる。撮影者が設定変更を行わない（同じパラメータで再撮影する）旨の選択を行った場合には、ステップＳ２０７に戻り、ＡＳＩＣ２９０は、ステップＳ２０６で設定したパラメータで再び発光量変化制御を行う。
これに対し、撮影者が設定変更を行う旨の選択を行った場合には、ＡＳＩＣ２９０は、これに応じてステップＳ２０６に戻り、ＬＣＤモニタ６０に設定画面を表示する。撮影者は、この設定画面で発光量の変化幅及び変化スピードをマニュアルで設定し直し、再度撮影を行う。このとき、マニュアル設定以外にも、再び測光を行って自動的に発光量の変化幅及び変化スピードが決定されるようにしてもよい。【００９１】
以上、図１３に示すフローチャートを用いて照射光増大モードにおける撮影時の制御を説明したが、照明光減少モードであってもＡＳＩＣ２９０は、概ね同様の制御を行う。以下、相違点についてのみ説明する。
図１３のステップＳ２１０において、ＡＳＩＣ２９０は、発光制御部９２がＬＥＤ発光部７０を制御して、被写体に対して連続光を照射させるが、このときのＬＥＤ発光部７０の発光量は、最初に最大発光量であり、時間の経過に応じて発光量が減少する。ステップＳ３において、インジケータ６６の進行は、発光量増大モードとは反対になる。
また、ＡＳＩＣ２９０は、ステップＳ２１２では発光量が設定範囲での最小発光量になったか否かを判定し、最小発光量が最小となった場合ステップＳ２１５に進む。なお、最小発光量がゼロに設定されている場合には、ステップＳ２１５をスキップしてステップＳ２１６に進む。【００９２】
以上説明した第３実施形態のカメラによれば、以下の効果を得ることができる。
（１）撮影者は、照明光の発光量が変化する様子をスルー画像を介して確認することができるので、被写体に対する照射光を光量が適切か否か（影の部分がないか、色飽和を起こしていないか等）を確実に判定でき、撮影時の使い勝手がよい。
（２）発光量の変化状態をインジケータ６６によって表示するので、今後どの程度発光量が変化するのかを予測することができ、撮影動作を開始させるタイミングを把握しやすい。
（３）発光量が経過時間に略比例して単純に増大、減少するので、発光量の変化が予測しやすく、撮影タイミングを把握しやすい。
（４）照明光の発光量を変化させながら、露出の異なった複数の画像を撮影（ブラケッティング撮影）できる。ＡＥの結果に基づいて発光量を決定する場合、例えば、主要被写体の背景に光反射率が極端に高い又は低いものがある場合等には、主要被写体に対する露出がアンダー又はオーバーになる可能性がある。これに対し、本実施形態のカメラ１は、ブラケッティング撮影を容易に行うことができるので、適正露出の写真を撮ることができる可能性が高くなる。
（５）発光量の変化幅、及び、変化スピードをマニュアル操作で任意に設定できるとともに、測光結果に基づいてＡＳＩＣ２９０に自動設定をさせることもできるので、便利である。
（６）発光量の変化スピードを任意の値に設定できるので、例えば、発光量の変化スピードを遅くすれば、撮影者は、シャッターチャンスを逃すことなく、意図した発光量での撮影を行いやすくなる。
（７）発光量の変化幅を任意に設定できるので、常に発光量ゼロからＬＥＤ発光部７０の能力の最大値まで発光することがなく、撮影時間を短縮できる。
（８）フレーミング時にスルー画像のうち、ＡＦエリアＦに対応する領域を拡大表示するので、ピントが合う位置における被写体の照射具合を詳細に確認できる。【００９３】
［第４実施形態］
次に、本発明を適用したカメラの第４実施形態について説明する。この第４実施形態において、上述した第３実施形態と同様な機能を果たす部分には、同一の符号又は末尾に統一した符号を付して、重複する説明や図面を適宜省略する。
第４実施形態のカメラ３０１は、第３実施形態のカメラ２０１と略同じ構造を備えているので、図２及び図１１に括弧付きの数字を付して説明する。【００９４】
第４実施形態のカメラ３０１は、第３実施形態のカメラ２０１と同様に、撮影時においてＬＥＤ発光部７０の発光量を変化させる制御を行い、所定の範囲内で発光量が経過時間に応じて徐々に多くなるように又は少なくなるようにする。また、第３実施形態のカメラ２０１は、発光量が上限又は下限に達した場合に発光制御を終了する制御を行ったが、第４実施形態のカメラ３０１は、発光制御（１ループ目）を行って、その発光量が上限又は下限に達した場合、２ループ目の発光制御を自動的に行うようになっている。【００９５】
そして、第４実施形態のカメラ３０１は、１ループ目の発光制御中に撮影者による撮影予約を受け付け、２ループ目の発光制御時にＬＥＤ発光部７０の発光量が予約受け付け時の発光量と略同じとなった場合に撮影動作を開始する。【００９６】
以下、第４実施形態のカメラ３０１に備えられたＡＳＩＣ３９０が行う撮影時に行う制御について説明する。
図１６は、第４実施形態のカメラに備えられたＡＳＩＣ３９０が撮影時に行う制御を示すフローチャートである。
第３実施形態のＡＳＩＣ２９０が行うステップＳ２０１からステップＳ２０９までの制御は、第４実施形態のＡＳＩＣ３９０も同様に行うので、ここではその説明を省略し、以降の処理を説明する。【００９７】
ＡＳＩＣ３９０は、レリーズ釦３２の半押し操作に応じて発光制御部３９２がＬＥＤ発光部７０を制御して被写体に対して照明光を照射させる（ステップＳ３１０）。そして、ＡＳＩＣ３９０は、ＬＥＤ発光部７０の発光量増大制御を行いつつ、ＬＣＤモニタ６０に発光量の変化状態を示すインジケータ（図１５参照）を表示させる（ステップＳ３１１）。【００９８】
そして、ＡＳＩＣ３９０は、ＬＥＤ発光部７０の発光量が変化している最中（ステップＳ３１２＝Ｎｏ）にレリーズ釦３２の全押し操作を検出すると（ステップＳ３１３＝Ｙｅｓ）、これに応じて撮影予約を受け付ける。ＡＳＩＣ３９０は、撮影予約を受け付けると、メモリ５０にレリーズ釦３２が全押し操作された時点でのＬＥＤ発光部７０の発光量を記録する（ステップＳ３１４）。【００９９】
撮影者は、ＬＥＤ発光部７０によって照射される被写体（スルー画像）をＬＣＤモニタ６０で観察しながら、適切な照射光量となった時点でレリーズ釦３２を全押し操作することによって、ＡＳＩＣ３９０に対して撮影予約信号を発信することができる。
この撮影予約は、ＬＥＤ発光部７０の発光量が最大になる以前であれば、繰り返し行うことができる。
図１７は、撮影予約を受け付けた場合の表示画面を示す図である。
この図１７において、指標表示６７は、どの発光量の時点で撮影予約が受け付けられたかを示すものであり、この図１７の場合には、２ヶ所で撮影予約が受け付けられていることを示している。【０１００】
ＬＥＤ発光部７０の発光量が最大になると、ＡＳＩＣ３９０は、撮影予約の有無を判定し（ステップＳ３１５）、撮影予約がない場合、ステップＳ３１０に戻って再びＬＥＤ発光部７０の発光（１ループ目）を開始し、撮影予約信号の入力を待つ。
また、撮影予約がある場合、ＡＳＩＣ３９０は、ＬＥＤ発光部７０の２ループ目の発光を開始させる（ステップＳ３１６）。【０１０１】
ＡＳＩＣ３９０は、この２ループ目の発光制御を行いつつ、ブラケッティング撮影を行う。
ＡＳＩＣ３９０は、メモリ５０に記録した予約受付時の発光量よりも、発光量が所定量だけ少ない時点で撮影動作を開始し、この撮影動作によって生成された画像データをメモリ５０に保存する（ステップ３１７）。この画像データによって形成される画像は、撮影者が意図した画像に比べ、露出アンダーの画像となる。ブラケッティング撮影を行う際、発光量をどの程度ずらすかは、任意に設定することができる。【０１０２】
またＡＳＩＣ３９０は、ＬＥＤ発光部７０の発光量が予約受付時の発光量と略同じとなった時点（ステップ３１８）、及び、予約受付時の発光量よりも所定量だけ多くなった時点（ステップＳ３１９）でもそれぞれ撮影動作を開始し、これらの撮影動作によって生成された画像データをメモリに保存する。ステップＳ３１９で撮影した画像は、撮影者が意図した画像に比べ、露出オーバーの画像となる。撮影予約が複数設定されている場合、ＡＳＩＣ３９０は、それぞれの撮影予約に応じたブラケッティング撮影を行う。
この後、ＡＳＩＣ３９０は、ＬＥＤ発光部７０の発光を終了させるとともに（ステップＳ３２０）、ブラケッティング撮影を行った画像をＬＣＤモニタ６０に表示する（図１３のステップＳ２１７参照）。
撮影者は、所望の発光量で撮影を行ったときの画像、及び、この画像よりも露出がオーバー気味、アンダー気味の画像を観察して、所望の画像を選択してカード４０に記録させる。【０１０３】
以上説明した第４実施形態のカメラ３０１は、１ループ目では撮影予約を受け付け、２ループ目で撮影を行うので、撮影者は、１ループ目では、被写体に対して確実に照明光を照射できているか（影になっている部分がないか等）等を確認することに専念でき、細かい構図決定を２ループ目で行うことができる。
このように、第４実施形態のカメラ３０１は、撮影者が発光量の決定作業と構図決定作業を別々に行うことができるので、使い勝手が向上する。【０１０４】
［変形形態］
上記実施形態は以下に示すような種々の変形や変更が可能であって、これらも本発明の技術的範囲内に含まれる。
（１）実施形態の照明装置は、カメラに内蔵されたものであったが、照明装置は、これに限らず、カメラ等の撮影装置に着脱可能に設けられたものであってもよい。【０１０５】
（２）実施形態のカメラは、ＬＣＤモニタにスルー画像を表示させるデジタルカメラであったが、カメラは、これに限らず、銀塩フィルムに画像を記録するフィルムカメラであってもよい。この場合、撮影者は、光学ファインダ装置等を介して又は被写体を肉眼で目視することによって照明光の色が変化する様子を確認しながら撮影を行う。【０１０６】
（３）第１及び第２実施形態のカメラは、補色の関係にある２色間で色を変化させたが、これに限らず、照明光の色温度を変化させてもよい。この場合、例えば、色温度が２０００Ｋ程度の暗い橙色で発光を開始し、徐々に色温度を上げる制御を行う。具体的に説明すると、照明光は、時間の経過に応じて暗い橙色から黄色（４０００Ｋ程度）へ、黄色から白色（６０００Ｋ程度）へ、白色から青味がかった白色（１００００Ｋ程度）へと変化する（又はこの順と逆でもよい）。【０１０７】
また、発光色の連続変化パターンとしては、暖色系の色（赤、橙、黄など）の間で連続変化させる暖色系変化パターン（図６で言えば赤Ｒと黄Ｙとの間で連続可変する発光パターン）を備えてもよいし、寒色系の色（青緑、青、青紫など）の間で連続変化させる寒色系変化パターン（図６で言えば青ＢとシアンＣとの間で連続可変する発光パターン）を備えてもよい。また緑系の中性色（黄緑、緑、深緑など）の間で連続変化させる中性色系変化パターン（図６で言えばグリーンＧ近傍で連続可変する発光パターン）を備えてもよいし、紫系の中性色（紫および紫近傍の色）の間で連続変化させる中性色系変化パターン（図６で言えばマゼンダＭ近傍で連続可変する発光パターン）を備えてもよい。【０１０８】
（４）第２実施形態のカメラは、２ループ目に発光色ブラケッティング撮影を行ったが、ブラケッティング撮影を行わずに予約入力時の発光色と同じ発光色で１つの画像を撮影してもよい。【０１０９】
（５）第２実施形態のカメラは、２ループ目で発光色ブラケッティング撮影を、３ループ目で発光量ブラケッティング撮影をそれぞれ行ったが、これに限らず、例えば、２ループ目で発光量ブラケッティング撮影を行い、３ループ目で発光色ブラケッティング撮影を行ってもよい。【０１１０】
（６）実施形態において、ＬＣＤモニタ（表示部）に表示されるインジケータは、バーグラフ（帯グラフ）状に形成されたが、これに限らず、数字（例えば、パーセント表示）によって発光量の変化状態を示してもよい。【０１１１】
（７）第３及び第４実施形態では、発光量が単純に増大、減少するパターンを説明したが、照明光の発光パターンは、これに限られない。例えば、照明光の発光量を時間の経過に応じて徐々に増大させ、最大発光量に到達したら、引き続いて逆に発光量を徐々に減少させるような制御を行ってもよい。【０１１２】
（８）第４実施形態において、１ループ目と２ループ目で発光パターンを異ならせてもよい。例えば、撮影予約がされた時点で発光量が最大発光量に近い場合は、２ループ目を発光量減少モードにしてもよい。また、２ループ目は、ブラケッティング撮影を行うのに必要な発光量から照明光の照射を開始し、ブラケッティング撮影を終了した時点で照明光を消灯してもよい。【０１１３】
（９）カメラは、第３実施形態の撮影パターン（発光中のレリーズ全押しに応じて撮影）、及び、第４実施形態の撮影パターン（発光中のレリーズ全押しに応じて撮影予約）の両方の撮影パターンで撮影を行えるようにし、これらの機能の切り替えをできるようにしてもよい。【０１１４】
（１０）撮影者から発信される撮影指示信号を待たずに、発光量の変化に応じて自動的に撮影動作を行うようにしてもよい。例えば、第３及び第４実施形態のＬＥＤ発光部は、段階的に発光量が変化するので、発光量が１段増加（又は減少）するごとに自動的に撮影動作を開始すれば、発光量がずれたブラケッティングを行うことができ、撮影者は、それらの撮影動作後に露出の異なる複数の画像から所望のものを選択すればよい。【０１１５】
（１１）第３及び第４実施形態においても、第１及び第２実施形態と同様にレリーズ釦とは独立に外部操作可能なＬＥＤ用操作釦をカメラ（例えば、カメラの背面や上面）に設けておき、そのＬＥＤ用操作釦が操作されたら、発光輝度を変えながらＬＥＤ発光部を発光させるように構成してもよい。【０１１６】
（１２）第３及び第４実施形態においても、第１及び第２実施形態と同様にＬＥＤ発光部を、撮影補助光としてではなく、ＡＦ補助光用、セルフタイマー撮影用のＬＥＤとしても機能するようにしてもよい。例えば、ＡＦ補助光としても兼用する場合には、発光輝度は低めにして且つ照射中は発光輝度が変動しないようにしておく。そして、レリーズ釦の半押し操作により、このＡＦ補助光を用いたＡＦ動作を行い、合焦すると引き続いて今度は上記各実施形態（図１３又は図１６）で述べた動作（すなわち、経過時間に応じてＬＥＤの発光輝度を変えながら照明する動作）に自動的に移行するようにしておく。なお、その輝度変化発光動作の際に、最初の発光輝度として、直前にＡＦ補助光と使用していたときの発光輝度を継続維持して使用し、その発光輝度から経過時間とともに徐序に高輝度に変えていくように制御するのが制御時間の短縮上好ましい。【０１１７】
（１３）発光色の変化パターンを、設定された撮影モード毎に対応付けしておき（撮影モード毎に発光パターンをデフォルトで持たせておき）、撮影者に選択された撮影モードに応じて色変化の発光パターンが自動選択されるように構成してもよい。【０１１８】
この場合に、色変化の発光パターンとして複数の発光パターンを備えておく。例えば、暖色系の色（赤、橙、黄など）の間で連続変化させる暖色系変化パターン（図６で言えば赤Ｒと黄Ｙとの間で連続可変する発光パターン）、寒色系の色（青緑、青、青紫など）の間で連続変化させる寒色系変化パターン（図６で言えば青ＢとシアンＣとの間で連続可変する発光パターン）、および肌色系の色（肌色に近い橙を軸に赤、黄のバランスが互いに異なる肌色近傍の色）の間で連続変化させる肌色系変化パターン（図６で言えば赤Ｒと黄Ｙの間に存在する橙（不図示）を中心として連続可変する発光パターン）と、を備えておく。【０１１９】
そして例えば、発光色可変モードが設定されている場合であって、且つ使用者が、夕焼け撮影や朝焼け撮影等に適した露出制御を行う夕景撮影モードを選択した場合には、上記暖色系変化パターンが自動的に選択され、該暖色系変化パターンでＬＥＤ発光部７０が連続発光する。【０１２０】
発光色可変モードが設定されている場合であって、且つ使用者が、人物撮影に適した露出制御を行うポートレート撮影モードを選択した場合には、上記肌色系変化パターンが自動的に選択され、該肌色系変化パターンでＬＥＤ発光部７０が連続発光する。
発色可変モードが設定されている場合であって、且つ使用者が、海辺での撮影や料理の撮影に適した露出制御を行う海辺撮影モードや料理撮影モードを選択した場合には、上記寒色系変化パターンが自動選択され、該寒色系変化パターンでＬＥＤ発光部７０が連続発光する。【０１２１】
また上記発光パターンは各撮影モードに１つだけ割り当てられているものに限らず、複数割り当てられていてもよい。例えば夜景撮影を行うための夜景撮影モードが選択されたときには、上記寒色系変化パターンと暖色系変化パターンが共に選択され、両発光パターンが時系列に順次切り替わるようにしてもよい。夜景撮影シーンにおいては、暖色系の夜景もあれば寒色系の夜景もあるため、両発光パターンが自動選択されるようにしていればそのどちらの夜景にも対応することが出来る。【０１２２】
上記では発光色の変化パターンを、撮影モード毎に対応付けすることについて述べたが、発光量（発光輝度）の変化パターンを撮影モード毎に対応付けするようにしておいてもよい。例えば、海辺での撮影は日中の強い逆光シーンが想定されるので、海辺撮影モードに対しては、発光輝度の連続変化範囲を高輝度寄り制限させている高輝度発光モード（図１５のインジケータ６５において中央部分から右端のｍａｘまでの発光輝度範囲で連続可変する発光モード）を対応付けでおく。また夜景撮影のときには比較的低輝度の照明でも足りる場合が想定されるので、夜景撮影モードに対しては、発光輝度の連続変化範囲を高輝度側を含まない範囲に制限させている低輝度発光モード（図１５のインジケータ６５において左端のｍｉｎから中央部分を若干右に寄った程度までの発光輝度範囲で連続可変する発光モード）を対応付けでおく。【０１２３】
（１４）上述したような照明光の発光量（発光輝度）を変化させる輝度変化発光パターンと、照明光の色を変化させる色変化発光パターンとを、時系列に行って、使用者に発光量と発光色の両方を選択（決定）させるように構成してもよい。【０１２４】
具体的には、まず発光色を所定の初期設定色（例えば白色）に固定した状態で、上記第３実施形態で記載したように発光量を連続的に変化させながらＬＥＤ発光部７０を発光させる。そして、その発光輝度の連続変化中に使用者の操作（例えばレリーズ操作）によって所望の発光輝度の選択を行うと、そのレリーズ操作時の発光輝度を記憶する。なおこの輝度変化発光パターンで発光を行っているときには、ＬＣＤモニタ６０上で図１５や図１４に示す如き表示を行うと共に、その表示にオーバーラップさせて「レリーズ操作して所望の照明輝度を選択して下さい」というメッセージを表示させるようにしておく。【０１２５】
上記のようにして発光輝度が選択（決定）されると、引き続いてＬＥＤ発光部７０は、その選択（記憶）された発光輝度に固定した状態で、上記第２実施形態で記載したように発光色を連続的に変化させながら発光を行う。そして、その発光色の連続変化中に使用者の操作（例えばレリーズ操作）によって所望の発光色の選択を行うと、そのレリーズ操作時の発光色を記憶する。なおこの色変化発光パターンで発光を行っているときには、ＬＣＤモニタ６０上で図３や図８に示す如き表示を行うと共に、その表示にオーバーラップさせて「レリーズ操作して所望の照明色を選択して下さい」というメッセージを表示させるようにしておく【０１２６】
このように、まず照明光の発光量（発光輝度）を連続的に変化させる発光パターンで発光させた後で、引き続き照明光の発光色を連続的に変化させる発光パターンで発光させるようにＬＥＤ発光部７０の発光を行うことによって、まず発光量を決定させ次に発光色を決定させることができる。【０１２７】
そして上記のようにして所望の発光量（発光輝度）と発光色が選択決定されると、その発光輝度と発光色で照明光を発光して撮影が行われる。この撮影動作は、発光色が決定されるときのレリーズ操作のタイミングと同時に行われてもよいし、上述の各実施形態において記載したように発光色が変化する次のループ（２ループ目）においてその決定色で発光された際に同期して自動撮影するようにしてもよい。【０１２８】
なお上記説明では、発光輝度を決定する際に発光する光の初期設定色を「白色」にしておくこととして説明したが、初期設定色はこれに限られるものではない。例えば上記第２実施形態で記載したように、撮像素子１１の出力（スルー画）に基づいて撮影シーンの色分布を判別して最も適切な発光色（その撮影シーンに存在する主要被写体の色に最も類似する色）を、初期設定色として自動選択してもよい。或いは上記変形例（１）で記載したように撮影モードに応じた発光色を初期設定色として自動選択してもよい。【０１２９】
なお上記説明では、まず発光量（発光輝度）を決定し、その次に発光色を決定するシーケンスを説明した。上記のように、発光量⇒発光色、という順序で決定するのが原則ではあるが、場合によっては、発光量と発光色の決定順序を逆にした方がよい場合もある。【０１３０】
例えば、周囲光（外光）の色温度にほぼ合致した照明色で照明して撮影を行うのでは無く、所望の色の（必ずしも外光に即した色ではない）照明光で被写体を照明して独創的（芸術的）な撮影を行いたいような場合には、まず照明光の色を決定して、その後でその決定した照明色を際立たせる適正輝度を選択することが望ましいことがある。よって使用者がそのような撮影を望む場合には、まず先に色を連続変化させる発光パターンで発光させて色の決定が行われた後で、その次に輝度を連続変化させる発光パターンで発光させるようする。【０１３１】
先に発光輝度を連続変化させるのか（発光輝度を先に決定するのか）、それとも先に発光色を連続変化させるのか（発光色を先に決定するのか）については、設定メニュー画面上で予め使用者が任意選択できるようにしておけばよい。【０１３２】
また、輝度よりも先に色を決定した方がよいことを装置（カメラ）側が自動的に決定するようにしてもよい。例えば、撮像素子１１の出力（スルー画）に基づいて撮影シーンの色分布を判別した結果、その撮影シーンの色分布が複雑である場合（例えば、主要被写体に様々な色系統の照明光が照射されており、その結果、主要被写体の色がある一つの系統色に決められないような場合）には、まず発光する色を決めた上で適切な光量を決めることが好ましい。よって、このような撮影シーンであることを、スルー画に基づいて判定した場合には、発光制御部は、まず先に照明光の発光色を連続的に変化させる発光パターンで発光させてユーザにより発光色が決定された後で、引き続き照明光の発光量（発光輝度）を連続的に変化させる発光パターンで発光させるようにＬＥＤ発光部７０の発光順序を制御する。なお、このような撮影シーンではないと判別された場合には、上記した原則のシーケンス（発光量を連続的に変化させる発光パターンを、色を連続的に変化させる発光パターンよりも先に行って、まず発光色を決定させる）を選択実行する。【０１３３】
（１５）また上記各実施形態では、照明光の発光量（発光輝度）を変化させる発光パターンと、照明光の色を変化させる発光パターンとをそれぞれ個別に設定するものとしているが、これら発光輝度と色とを同時に変化させる発光パターンを、使用者が任意に設定できるようにしてもよい。【０１３４】
この場合には、ＬＣＤモニタ６０に、横軸に色相（赤⇒黄⇒緑⇒青⇒紫、各色間はグラデーションで連続変化している）、縦軸に輝度（明度／０％〜１００％）を持つ図１８のような色・輝度マップ表示（色・輝度分布表示）を行う。この色・輝度マップは、横軸に何色を選ぼうと、縦軸輝度１００％を選ぶと白となり、縦軸輝度０％を選ぶと黒となるようなマップである。そして使用者によるセレクタスイッチ３３と決定釦３４を用いた操作によって、使用者に任意の発光変化パターンを選択させる。なおＬＣＤモニタ６０をタッチパネル操作可能に構成しておき、そのタッチパネル操作によって発光変化パターンを指定させるようにしてもよい。【０１３５】
図１８を用いた発光パターンの選択・決定方法について以下に述べる。まずＬＣＤモニタ６０に図１８の色・輝度マップを表示した状態で、色・輝度変化パターンの始点の設定を使用者に促す。その際には図１９に示すように「色および輝度の変化の始点を設定して下さい」というメッセージを色・輝度マップ表示上にオーバーラップ表示する。使用者がセレクタスイッチ３３で色・輝度マップ上の任意と位置（例えばＰ１）を選択して決定釦３４で決定操作すると（或いは色マップ表示中にタッチパネル上をタッチ操作すると）、図１８に示すように始点表示マークＰ１が色・輝度マップ表示上にオーバーラップ表示される。次に図２０に示すように「色および輝度の変化の終点を設定して下さい」というメッセージを色・輝度マップ表示上にオーバーラップ表示する。使用者がセレクタスイッチ３３で色マップ上の任意と位置（例えばＰ２）を選択して決定釦３４で決定操作すると（或いは色・輝度マップ表示中にタッチパネル上をタッチ操作すると）、図１８に示すように終点表示マークＰ２が色・輝度マップ表示上にオーバーラップ表示される。そして、始点Ｐ１と終点Ｐ２の設定がなされると、図１８の如く色・輝度マップ表示上にラインＬ１がオーバーラップ表示される。このようにして、始点Ｐ１から終点Ｐ２までを結ぶラインＬ１に沿うように色と輝度（明度）が連続変化する発光パターンが設定される。
【図１】
2009091038.tif 000003
【図２】
2009091038.tif 000004
【図３】
2009091038.tif 000005
【図４】
2009091038.tif 000006
【図５】
2009091038.tif 000007
【図６】
2009091038.tif 000008
【図７】
2009091038.tif 000009
【図８】
2009091038.tif 000010
【図９】
2009091038.tif 000011
【図１０】
2009091038.tif 000012
【図１１】
2009091038.tif 000013
【図１２】
2009091038.tif 000014
【図１３】
2009091038.tif 000015
【図１４】
2009091038.tif 000016
【図１５】
2009091038.tif 000017
【図１６】
2009091038.tif 000018
【図１７】
2009091038.tif 000019
【図１８】
2009091038.tif 000020
【図１９】
2009091038.tif 000021
【図２０】
2009091038.tif 000022
【国際調査報告】
2009091038.tif 000023
2009091038.tif 000024
2009091038.tif 000025
2009091038.tif 000026
2009091038.tif 000027
2009091038.tif 000028
2009091038.tif 000029
2009091038.tif 000030